(57)【要約】【課題】  駆動周波数を低くした場合の表示に発生するちらつき（フリッカ）を無くす。【解決手段】  １フレーム期間Ｔを走査期間Ｔ１と走査期間の直後に存在する保持期間に分離した駆動を行う際に、各々の信号配線を正極性フレーム期間と負極性フレーム期間とで交互に繰り返す。さらに、あるフレーム期間Ｔにおいて正極性信号配線と負極性信号配線が列毎に交互に繰り返されている場合に、正極性信号配線の保持期間における電位Ｖsigmを常に対向電極電位Ｖcomより大きくし、負極性信号配線の保持期間における電位Ｖsigmを常に対向電極電位Ｖcom より小さくする。【選択図】図１０
2004206075.tif 000002
【特許請求の範囲】
【請求項１】
少なくとも一方が透明な一対の基板を有し、
前記一対の基板の一方の行方向に延在し前記行方向に交差する列方向に並設された複数の信号配線と、
前記列方向に延在し前記行方向に並設された複数の走査配線と、
前記信号配線と前記走査配線の各交差部に接続されたアクティブ素子と、
前記アクティブ素子で駆動される画素電極と、
前記一対の基板の一方の基板または他方の基板に設けられ、前記画素電極との間に液晶層を挟持した対向電極と、
前記液晶層に対して並列に接続された保持容量とを有する液晶パネルで構成したアクティブマトリックス型の液晶表示装置の駆動方法であって、
前記液晶パネルに表示される画像の１フレーム期間を１フレーム分の画像データを液晶パネルに書き込む走査期間と、前記走査期間に続けて前記走査期間よりも長く非走査状態とする保持期間とで構成し、
前記走査配線の電位が前記走査期間において選択電位から非選択電位に変化するときに、前記信号配線の電位が対向電極電位より大きい電位の状態にある正極性信号配線の前記保持期間における電位を前記対向電極電位より大きくし、
前記正極性信号配線の隣りの列に配置された、走査配線の電位が前記走査期間において選択電位から非選択電位に変化するときに、対向電極電位より小さい電位の状態にある負極性信号配線の前記保持期間における電位を前記対向電極電位より小さくすることを特徴とする液晶表示装置の駆動方法。
【請求項２】
前記正極性信号配線の前記保持期間における電位を対向電極電位より大きい一定電位とし、前記負極性信号配線の保持期間における電位を前記対向電極電位より小さい一定電位とすることを特徴とする請求項１に記載の液晶表示装置の駆動方法。
【請求項３】
前記アクティブ素子が前記非選択期間にあるときの前記アクティブ素子の抵抗をＲoff  ［Ω］、前記各画素電極と対向電極に挟持される液晶層の液晶抵抗をＲl ［Ω］、前記画素電極の電極面積をＳ［ｍ2 ］、前記液晶層の厚さをｄ［ｍ］、前記液晶層を構成する液晶の比抵抗をρlc［Ωｍ］、前記対向電極の電位をＶcom ［Ｖ］、フレーム周波数をｆ［Ｈｚ］、前記液晶層の液晶容量をＣl［Ｆ］、前記保持容量をＣstg［Ｆ］、前記画素電極と前記信号配線間の寄生容量をＣsd［Ｆ］、ある画素におけるあるフレーム期間の前記選択期間の直後の前記画素電極の電位をＶfst ［Ｖ］、前記フレーム周波数がｆで前記選択期間の直後の前記画素電極の電位がＶfst の時の臨界電位変動量をΔＶｃ(ｆ)［Ｖ］、前記画素電極の電位を前記電位Ｖfstのまま保持する最適な信号配線の電位をＶopt［Ｖ］とし、前記電位Ｖopt は次の式（２）で与えられると共に、前記信号配線の保持期間における信号配線の電位をＶsig ［Ｖ］としたとき、
前記保持期間における前記信号配線電位Ｖsigを、ＭＫＳＡ単位系において次の式(１）
【数１】
2004206075.tif 000017
【数２】
2004206075.tif 000018
で表される値の範囲とすることを特徴とする請求項１に記載の液晶表示装置の駆動方法。
【請求項４】
表示に使用する液晶電圧の範囲において、前記液晶電圧の変化に対して液晶表示パネルの透過率や反射率の変化が最も大きい正極性の液晶電圧の絶対値をＶ0Pとし、液晶電圧の変化に対して透過率若しくは反射率の変化が最も大きい負極性の液晶電圧の絶対値をＶ0mとしたとき、
前記式（２）に記載のＶfst の値を、前記正極性信号配線電位のとり得る値の範囲を決定する場合は約Ｖcom ＋Ｖ0Pに、前記負極性信号配線電位のとり得る値の範囲を決定する場合は約Ｖcom −Ｖ0mにすることを特徴とする請求項３に記載の液晶表示装置の駆動方法。
【請求項５】
前記式（２）に記載のＶfst の値を、前記正極性信号配線電位のとり得る値の範囲を決定する場合は、走査配線の電位が前記走査期間において選択電位から非選択電位に変化するときに、信号配線の電位が対向電極電位より大きい電位の状態にある前記走査期間と該走査期間に続く前記保持期間からなる正極性フレーム期間における透過率若しくは反射率の最大値の約半分の透過率若しくは反射率を示す階調の近傍の階調の画像データに対応する選択期間の直後の画素電極電位とし、前記負極性信号配線電位のとり得る値の範囲を決定する場合は走査配線の電位が走査機関において選択電位から非選択電位に変化するときに、信号配線の電位が対向電極電位より小さい電位の状態にある前記走査期間と該走査期間に続く前記保持期間からなる負極性フレーム期間における透過率若しくは反射率の最大値の約半分の透過率若しくは反射率を示す階調の近傍の階調の画像データに対応する選択期間の直後の画素電極電位とすることを特徴とする請求項３に記載の液晶表示装置の駆動方法。
【請求項６】
任意の画像データに対応する前記液晶電圧の絶対値がＶ0 ［Ｖ］の場合に、前記正極性信号配線の保持期間における信号配線電位Ｖsig を、ＭＫＳＡ単位系において概ね次式
（３）
【数３】
2004206075.tif 000019
による値にし、
前記負極性信号配線の保持期間における信号配線電位Ｖsig を、ＭＫＳＡ単位系において概ね次式（４）
【数４】
2004206075.tif 000020
による値にすることを特徴とする請求項１に記載の液晶表示装置の駆動方法。
【請求項７】
あるフレーム期間の走査期間におけるある走査配線電位を選択電位にし、当該信号配線電位を所望の画像データを書き込むための電位にし、その直後に全走査配線を非選択状態にしたときに、
前記信号配線が正極性信号配線の場合には、その信号配線電位を概ね前記式（３）に示される信号配線電位を中心として前記選択期間中における前記正極性信号配線の電位と対称的な電位とし、
前記信号配線が負極性信号配線の場合には、その信号配線電位を概ね前記式（４）に示される信号配線電位を中心として前記選択期間中における前記負極性信号配線電位と対称的な電位とする駆動を各走査配線毎に繰り返しながら全ての画素に所望の画像データを書き込むことを特徴とする請求項６に記載の液晶表示装置の駆動方法。
【請求項８】
あるフレーム期間の走査期間における前記走査配線電位を選択電位に、前記信号配線電位を所望の画像データを書き込むための電位にして、所望の画像データに対応する電位を前記画素電極に書き込む駆動を前記ｋ本の走査配線に対して行い、
その直後に全走査配線を非選択状態にし、
当該信号配線が正極性信号配線の場合には、前記式（３）に示される信号配線電位を中心として、当該ｋ本の走査配線を走査した期間中におけるｋ個の画像データに対応したｋ個の当該信号配線の電位それぞれと概ね対称的なそれぞれｋ個の電位を任意の期間の長さ毎に当該信号配線に印加し、
当該信号配線が負極性信号配線の場合には、前記式（４）に示される信号配線電位を中心として、当該ｋ本の走査配線を走査した期間中におけるｋ個の画像データに対応したｋ個の当該信号配線の電位それぞれと概ね対称的なそれぞれｋ個の電位を選択期間の長さ毎に当該信号配線に印加することをｋ本の走査配線毎に繰り返しながら全ての画素に所望の画像データを書き込むことを特徴とする請求項６に記載の液晶表示装置の駆動方法。
【請求項９】
あるフレーム期間の走査期間における前記走査配線電位を選択電位に、前記信号配線電位を所望の画像データを書き込むための電位にして、所望の画像データに対応する電位を画素電極に書き込むという駆動を前記ｋ本の走査配線に対して行い、
その直後、全走査配線を非選択状態にし、
当該信号配線が正極性信号配線の場合には、当該信号配線電位を、前記式（３）に示される信号配線電位を中心として、前記ｋ本の走査配線を走査した期間中におけるｋ個の画像データに対応したｋ個の当該信号配線電位の平均値と概ね対称的な電位にし、
当該信号配線が負極性信号配線の場合には、当該信号配線電位を前記式（４）に示される信号配線電位を中心として、前記ｋ本の走査配線を走査した期間中におけるｋ個の画像データに対応したｋ個の当該信号配線電位の平均値と概ね対称的な電位にすることをｋ本の走査配線毎に繰り返しながら全ての画素に所望の画像データを書き込むことを特徴とする請求項６に記載の液晶表示装置の駆動方法。
【請求項１０】
前記式（３）及び式（４）中に記載されている前記液晶電圧の絶対値Ｖ0 を、表示に使用する前記液晶電圧の実効値の変化に対して透過率若しくは反射率の変化が最も大きい液晶電圧の実効値とほぼ同じ大きさにすることを特徴とする請求項６に記載の液晶表示装置の駆動方法。
【請求項１１】
前記式（３）及び式（４）中に記載されている前記液晶電圧の絶対値Ｖ0 を、前記式
（３）では、正極性フレーム期間において、前記液晶表示装置における透過率若しくは反射率の最大値の約半分の透過率若しくは反射率を示す正極性の液晶電圧の絶対値とし、
前記式（４）では、負極性フレーム期間において、前記液晶表示装置における透過率若しくは反射率の最大値の約半分の透過率若しくは反射率を示す負極性の液晶電圧の絶対値とすることを特徴とする請求項６に記載の液晶表示装置の駆動方法。
【請求項１２】
前記保持期間における前記信号配線電位として、前記正極性信号配線の保持期間における電位を最終走査配線の近くの走査配線に接続される画素の前記正極性フレーム期間における透過率若しくは反射率の最大値の約半分の透過率若しくは反射率を示す階調の透過率若しくは反射率の変化が最も小さくなる電位とし、
前記負極性信号配線の保持期間における電位を最終走査配線の近くの走査配線に接続される画素の前記負極性フレーム期間における透過率若しくは反射率の最大値の約半分の透過率若しくは反射率を示す階調の透過率若しくは反射率の変化が最も小さくなる電位とすることを特徴とする請求項１に記載の液晶表示装置の駆動方法。
【請求項１３】
少なくとも一方が透明な一対の基板を有し、
前記一対の基板の一方の行方向に延在し前記行方向に交差する列方向に並設された複数の信号配線と、
前記列方向に延在し前記行方向に並設された複数の走査配線と、
前記信号配線と前記走査配線の各交差部に接続されたアクティブ素子と、
前記アクティブ素子で駆動される画素電極と、
前記一対の基板の一方の基板または他方の基板に設けられ、前記画素電極との間に液晶層を挟持した対向電極と、
前記液晶層に対して並列に接続された保持容量とを有する液晶パネルで構成したアクティブマトリックス型の液晶表示装置であって、
前記液晶パネルに表示される画像の１フレーム期間を１フレーム分の画像データを液晶パネルに書き込む走査期間と、前記走査期間に続けて前記走査期間よりも長く非走査状態とする保持期間とで構成し、
前記保持期間における電位制御を行う保持期間電位制御手段を有し、
前記保持期間電位制御手段は、走査配線の電位が走査期間において選択電位から非選択電位に変化するときに、対向電極電位より大きい電位の状態にある正極性信号配線の前記保持期間における電位を前記対向電極電位より大きくし、前記正極性信号配線の隣りの列に配置された、走査配線の電位が走査期間において選択電位から非選択電位に変化するときに、対向電極電位より小さい電位の状態にある負極性信号配線の前記保持期間における電位を前記対向電極電位より小さくすることを特徴とする液晶表示装置。
【請求項１４】
前記走査配線を駆動する走査配線駆動回路を有し、
前記走査配線駆動回路は前記走査配線を選択するシフトレジスタを有し、前記シフトレジスタ内に全走査配線を非選択状態にする予備レジスタを有することを特徴とする請求項１３記載の液晶表示装置。
【請求項１５】
前記アクティブ素子が薄膜トランジスタであり、ある画素に配設される薄膜トランジスタの位置が前記画素に配設される薄膜トランジスタのソース電極に接続される信号配線と前記画素を挟んで前記信号配線と反対側に配置されている信号配線との間の中央に配置されていることを特徴とする請求項１３記載の液晶表示装置。
【請求項１６】
前記アクティブ素子が薄膜トランジスタであり、前記各画素の画素電極において、導電性の反射部材で形成される電極部分の位置は前記薄膜トランジスタが当該導電性の反射部材で形成される電極部分の中央の位置になるように配置されていることを特徴とする請求項１３記載の液晶表示装置。
【請求項１７】
Ｎ×Ｍのマトリクス状に画素が配置され、ｎを１以上Ｎ−１以下の整数とし、ｍを１以上Ｍ以下の整数として、ｎ行ｍ列番目の画素に配設される前記薄膜トランジスタのソース電極が、当該画素に隣接する２つの信号配線のうちのある一方の信号配線に接続されている場合に、ｎ＋１行ｍ列番目の画素に配設される薄膜トランジスタのソース電極は当該信号配線ではない他方の信号配線に接続されるように配線される部分を有することを特徴とする請求項１３記載の液晶表示装置。
【請求項１８】
前記信号配線の数がＭ＋１本の場合、１列目の信号配線とＭ＋１列目の信号配線が接続されていることを特徴とする請求項１７に記載の液晶表示装置。
【請求項１９】
表示に使用する液晶電圧の範囲における透過率や反射率において、
透過率や反射率の最大値の約半分の透過率や反射率を示す液晶層を挟む一方の電極である画素電極の電位が他方の電極である対向電極の電位より大きい正極性の液晶電圧の絶対値をＶP とし、透過率や反射率の最大値の約半分の透過率や反射率を示す液晶層を挟む一方の電極である画素電極の電位が他方の電極である対向電極の電位より小さい負極性の液晶電圧の絶対値をＶm とした場合に、前記保持期間における前記正極性信号配線の前記一定電位を対向電極電位Ｖcomと前記電位ＶPの和（Ｖcom＋ＶP）より大きい値とし、前記負極性信号配線の前記一定電位を、対向電極電位Ｖcomと電位Ｖmの差（Ｖcom−Ｖm）より小さい値とすることを特徴とする請求項２に記載の液晶表示装置の駆動方法。
【請求項２０】
表示に使用する液晶電圧の範囲における透過率や反射率において、
透過率や反射率の最大値の約半分の透過率や反射率を示す階調に対応する正極性信号配線電位をＶsp50とし、負極性信号配線電位をＶsm50とし、ΔＶftを次式（５）
【数５】
2004206075.tif 000021
の値とした場合に、前記保持期間における正極性信号配線の前記一定電位を電位（Ｖsp50−ΔＶft）より大きい値とし、負極性信号配線の前記一定電位を、電位(Ｖsm50−ΔＶft)より小さい値とすることを特徴とする請求項２に記載の液晶表示装置の駆動方法。
【請求項２１】
表示に使用する液晶電圧の範囲における透過率や反射率において、
透過率や反射率の最大値の約半分の透過率や反射率を示す階調に対応する正極性信号配線電位をＶsp50とし、負極性信号配線電位をＶsm50とした場合に、前記保持期間における正極性信号配線の前記一定電位を電位Ｖsp50より大きい値とし、負極性信号配線の前記一定電位を、電位Ｖsm50より小さい値とすることを特徴とする請求項２に記載の液晶表示装置の駆動方法。
【請求項２２】
表示に使用する液晶電圧の範囲における透過率や反射率において、
透過率や反射率の最大値の約半分の透過率や反射率を示す液晶層を挟む一方の電極である画素電極の電位が他方の電極である対向電極の電位より大きい正極性の液晶電圧の絶対値をＶP とし、透過率や反射率の最大値の約半分の透過率や反射率を示す液晶層を挟む一方の電極である画素電極の電位が他方の電極である対向電極の電位より小さい負極性の液晶電圧の絶対値をＶm とした場合に、前記保持期間における正極性信号配線の電位を、対向電極電位Ｖcomと前記電位ＶPの和（Ｖcom＋ＶP）より大きい値を中心として振動するように駆動し、前記保持期間における負極性信号配線の電位を、対向電極電位Ｖcom と前記電位Ｖm の差（Ｖcom−Ｖm）より小さい値を中心として振動するように駆動することを特徴とする請求項１に記載の液晶表示装置の駆動方法。
【請求項２３】
表示に使用する液晶電圧の範囲における透過率や反射率において、
透過率や反射率の最大値の約半分の透過率や反射率を示す階調に対応する正極性信号配線電位をＶsp50とし、負極性信号配線電位をＶsm50とし、ΔＶftを式（５）の値とした場合に、前記保持期間における正極性信号配線の電位を、電位（Ｖsp50−ΔＶft）より大きい値を中心として振動するように駆動し、前記保持期間における負極性信号配線の電位を、電位（Ｖsm50−ΔＶft）より小さい値を中心として振動するように駆動することを特徴とする請求項１に記載の液晶表示装置の駆動方法。
【請求項２４】
表示に使用する液晶電圧の範囲における透過率や反射率において、
透過率や反射率の最大値の約半分の透過率や反射率を示す階調に対応する正極性信号配線電位をＶsp50とし、負極性信号配線電位をＶsm50とした場合に、前記保持期間における正極性信号配線の電位を、電位Ｖsp50より大きい値を中心として振動するように駆動し、前記保持期間における負極性信号配線の電位を、電位Ｖsm50より小さい値を中心として振動するように駆動することを特徴とする請求項１に記載の液晶表示装置の駆動方法。
【請求項２５】
前記保持期間における正極性信号配線の前記一定電位と負極性信号配線の前記一定電位を、正極性信号配線の前記一定電位と対向電極電位の電位差の絶対値と負極性信号配線の前記一定電位と対向電極電位の電位差の絶対値が略等しくなるようにすることを特徴とする請求項２記載の液晶表示装置。
【請求項２６】
表示に使用する信号配線の電位において、信号配線の最大電位と最小電位の中心電位を信号配線中心電位とした場合に、前記保持期間における正極性信号配線の前記一定電位と負極性信号配線の前記一定電位を、正極性信号配線の前記一定電位と信号配線中心電位の電位差の絶対値と負極性信号配線の前記一定電位と信号配線中心電位の電位差の絶対値が略等しくなるようにすることを特徴とする請求項２記載の液晶表示装置。
【請求項２７】
画素電極と該画素電極に隣接する２本の信号配線との間の２つの寄生容量の値が略等しいことを特徴とする請求項２６記載の液晶表示装置。
【請求項２８】
あるフレームの走査期間のある水平期間において、ある信号配線の電位を、所望の画像データ電位に対応した電位にする期間の他に、任意の電位にする期間を有する請求項２記載の液晶表示装置。
【請求項２９】
前記任意の電位にする期間は、前記正極性信号配線と前記負極性信号配線を短絡する期間である請求項２８記載の液晶表示装置。
【請求項３０】
前記任意の電位にする期間は、前記正極性信号配線と前記負極性信号配線と前記対向電極と前記容量配線とを短絡する期間である請求項２８記載の液晶表示装置。
【請求項３１】
前記任意の電位にする期間は、前記信号配線が正極性信号配線の場合は前記信号配線電位を対向電極電位以下の電位とし、前記信号配線が負極性信号配線の場合は前記信号配線電位を対向電極電位以上の電位とする期間である請求項２８記載の液晶表示装置。
【請求項３２】
前記任意の電位にする期間は、前記信号配線が正極性信号配線の場合は前記信号配線電位を負極性信号配線の保持期間の電位とし、前記信号配線が負極性信号配線の場合は前記信号配線電位を正極性信号配線の保持期間の電位とする期間を設ける請求項２８記載の液晶表示装置。
【請求項３３】
前記任意の電位にする期間は、前記信号配線が正極性信号配線の場合には、前記信号配線の電位を表示に使用する信号配線電位の最小電位とし、前記信号配線が負極性信号配線の場合には、前記信号配線の電位を表示に使用する信号配線電位の最大電位とする期間である請求項２８に記載の液晶表示装置。
【請求項３４】
あるフレーム期間における走査期間において、走査配線電位を選択電位に、信号配線電位を所望の画像データを書き込むための電位にして、所望の画像データに対応する電位を画素電極に書き込むという駆動を行う期間の他に、全走査配線を非選択状態にし、前記信号配線の電位を任意の一定電位にする期間を設け、且つ、前記期間は最終走査配線に接続される画素に画像データが書き込まれる前に前記走査期間中に１回以上存在するということを特徴とする請求項２記載の液晶表示装置。
【請求項３５】
前記任意の一定電位にする期間は、前記信号配線が正極性信号配線の場合には、前記信号配線を対向電極電位以下の電位とし、前記信号配線が負極性信号配線の場合には、前記信号配線を対向電極電位以上の電位とする期間であることを特徴とする請求項３４記載の液晶表示装置。
【請求項３６】
前記任意の一定電位にする期間は、前記正極性信号配線に印加する電位と前記対向電極電位の差の絶対値と、前記負極性信号配線に印加する電位と対向電極電位の差の絶対値とが概ね等しい請求項３４記載の液晶表示装置。
【請求項３７】
前記任意の一定電位にする期間は、前記信号配線が正極性信号配線の場合は前記信号配線電位を負極性信号配線の保持期間の電位とし、前記信号配線が負極性信号配線の場合は前記信号配線電位を正極性信号配線の保持期間の電位とする期間であることを特徴とする請求項３４記載の液晶表示装置。
【請求項３８】
前記任意の一定電位にする期間は、前記正極性信号配線と前記負極性信号配線を短絡する期間であることを特徴とする請求項３４記載の液晶表示装置。
【請求項３９】
前記任意の一定電位にする期間は、前記正極性信号配線と前記負極性信号配線と前記対向電極と前記容量配線とを短絡する期間であることを特徴とする請求項３４記載の液晶表示装置。
【発明の詳細な説明】
【技術分野】
【０００１】
本発明は、液晶表示装置の駆動方法およびこの駆動方法で駆動される液晶表示装置に係り、特に駆動周波数を低減して低消費電力化を実現したアクティブマトリックス型の液晶表示装置の駆動方法および液晶表示装置に関する。
【背景技術】
【０００２】
アクティブマトリックス型の液晶表示装置における低消費電力化のための駆動方法としては、「特許文献１」に開示されているものを挙げることができる。この「特許文献１」に開示されている駆動方法は、一画面を走査する走査期間と該走査期間よりも長く全走査配線を非走査状態にする休止期間を設け、かつ、上記休止期間には信号配線の電位を所定の信号配線休止電位に固定することで、フレーム周波数を現行の６０Ｈｚより低減して低消費電力化を行うという方法である。
【０００３】
【特許文献１】特開２００２−１８２６１９号公報
【発明の開示】
【発明が解決しようとする課題】
【０００４】
一般に、フレーム周波数を低減すると、６０Ｈｚでは知覚することが出来なかったごく小さい画面変化（透過型や半透過反射型における透過率の変動，反射型や半透過反射型における反射率の変動）も、所謂フリッカとして知覚されるようになる。種々の駆動に応じて様々な原因で発生するフリッカが存在するが、アクティブ素子の非選択時におけるリーク電流（以下、オフリーク電流と称する）や液晶層のリーク電流が起因でフレーム周波数に同期して発生するフリッカは、アクティブ素子を用いたあらゆる駆動方式に存在し、駆動周波数を低減すればするほど知覚され易くなる。この他には、直流成分起因のフリッカが存在し、例えば非選択状態にある画素において、信号配線と該画素の画素電極が容量結合することにより、該信号配線の電位変動に応じて該画素の画素電極の電位が変動することに起因するフリッカなどが存在する。
【０００５】
従来の駆動方法では、液晶層のリーク電流およびアクティブ素子のオフリーク電流に起因するフリッカについて十分な対策がなされていない。液晶層のリーク電流およびアクティブ素子のオフリーク電流起因のフリッカは、直流成分起因のフリッカのように列毎反転駆動若しくはライン毎反転駆動、若しくはドット反転駆動等を行うことで隣接画素間の透過率若しくは反射率を相殺して人間の目に知覚できないようにすることができない。そのため、液晶層のリーク電流およびアクティブ素子のオフリーク電流起因のフリッカは、駆動方法に依存せずに全ての駆動方法において存在する各フレーム期間に同期して発生するフリッカである。
【０００６】
上記の様な理由から、液晶層のリーク電流およびアクティブ素子のオフリーク電流起因の透過率若しくは反射率変動による画面変化を低減することが、表示品位を保ちながら低周波数で駆動するための必須の課題と考えられる。なお、本発明は、一対の基板の一方に走査配線や信号配線およびアクティブ素子を形成し、他方の基板に対向電極を形成した、所謂縦電界型（例えばＴＮ型）の液晶パネルを用いた液晶表示装置に限らず、一対の基板の走査配線や信号配線およびアクティブ素子を形成した一方の基板に対向電極を形成した、所謂横電界型（ＩＰＳ型）型の液晶パネルを用いた液晶表示装置、その他の既知のアクティブマトリクス型の液晶表示装置にも同様に適用できる。したがって、本明細書の記述において「画素電極と対向電極の間に液晶層を挟持」とは、ＩＰＳ型においては一方の基板の画素電極と対向電極の間に液晶層が存在することも意味する。
【０００７】
また、本発明は、一対の基板の一方の外部から入射する照明光を他方の基板から出射させる透過型の液晶パネル、一方の基板から入射した照明光を同一方の基板から出射させる反射型の液晶パネル、あるいは反射表示部と透過表示部を有する半透過反射型の液晶パネルを用いた液晶表示装置に適用される。
【０００８】
本発明の目的は、液晶のリーク電流およびアクティブ素子のオフリーク電流起因の透過率変動や反射率変動を低減し、駆動周波数を６０Ｈｚよりも十分に低い周波数にしてもフリッカの無い良好な表示品質の画像を得ることができ、かつ駆動周波数低減により低消費電力化を実現した液晶表示装置の駆動方法およびこの駆動方法を用いた液晶表示装置を提供することにある。
【課題を解決するための手段】
【０００９】
上記目的を達成するため、本発明による駆動方法は、アクティブマトリックス型の液晶表示装置において、液晶パネルに表示される画像の１フレーム期間を１フレーム分の画像データを液晶パネルに書き込む走査期間と、その走査期間に続けて走査期間よりも長く非走査状態とする保持期間とに分離して駆動する際に、各々の信号配線を正極性フレーム期間と負極性フレーム期間が交互に繰り返されるようにする。さらに、あるフレーム期間において、走査配線の電位が走査期間において選択電位から非選択電位に変化するときに、信号配線の電位が対向電極電位より大きい電位の状態にある正極性信号配線の保持期間における電位を対向電極電位より大きくし、正極性信号配線の隣りの列に配置された、走査配線の電位が走査期間において選択電位から非選択電位に変化するときに、対向電極電位より小さい電位の状態にある負極性信号配線の保持期間における電位を対向電極電位より小さくする。
【００１０】
また、本発明による液晶表示装置は、少なくとも一方が透明な一対の基板を有し、その一対の基板の一方の行方向に延在し行方向に交差する列方向に並設された複数の信号配線と、列方向に延在し行方向に並設された複数の走査配線と、信号配線と走査配線の各交差部に接続されたアクティブ素子と、アクティブ素子で駆動される画素電極と、一対の基板の一方の基板または他方の基板に設けられ、画素電極との間に液晶層を挟持した対向電極と、液晶層に対して並列に接続された保持容量とを有する液晶パネルで構成したアクティブマトリックス型の液晶表示装置であって、液晶パネルに表示される画像の１フレーム期間を１フレーム分の画像データを液晶パネルに書き込む走査期間と、走査期間に続けて前記走査期間よりも長く非走査状態とする保持期間とで構成し、保持期間における電位制御を行う保持期間電位制御手段を有し、保持期間電位制御手段は、走査配線の電位が走査期間において選択電位から非選択電位に変化するときに、対向電極電位より大きい電位の状態にある正極性信号配線の保持期間における電位を前記対向電極電位より大きくし、正極性信号配線の隣りの列に配置された、走査配線の電位が走査期間において選択電位から非選択電位に変化するときに、対向電極電位より小さい電位の状態にある負極性信号配線の保持期間における電位を前記対向電極電位より小さくする。
【００１１】
これにより、駆動周波数を低くした場合に、表示画像に発生するちらつき（フリッカ）を無くして表示品質を保ちながら低消費電力化が実現される。
【００１２】
なお、本発明は、特許請求の範囲に記載された構成および後述する実施の形態に開示される構成に限定されるものではなく、本発明の技術思想を逸脱することなく種々の変更が可能であることは言うまでもない。
【発明の効果】
【００１３】
以上説明したように、本発明によれば、駆動周波数を低くした場合に発生する表示のちらつき（フリッカ）を無くすことができ、表示品位を保ちながら駆動周波数を低減して低消費電力化を実現した液晶表示装置を提供することができる。
【発明を実施するための最良の形態】
【００１４】
以下、本発明の実施の形態について、実施例の図面を参照して詳細に説明する。以下に説明する実施例では、消費電力が少ない表示方式として反射型液晶表示方式を用い、該表示方式を用いるアクティブマトリクス型の液晶表示装置を例として説明する。しかしながら、本発明はこれに限定されるものではなく、アクティブ素子を用いる透過型及び、反射透過型液晶表示装置、有機ＥＬあるいは無機ＥＬ表示装置などにも適用することが可能である。また、以下に説明する実施例に係るアクティブマトリクス型の液晶表示装置のアクティブ素子としては薄膜トランジスタ（ＴＦＴ）を用い、該表示装置の画素はＮ×Ｍ（Ｎ，Ｍは２以上の整数）のマトリクス状に配置されている。しかしながら、本発明はこれに限定されるものではなく、アクティブ素子として、ＭＩＭ等、他の電界効果型トランジスタ素子を用いても構わない。さらに、マトリクス状に配置されている画素の形状も限定しない。また、液晶パネルの構成を説明する場合に、液晶パネルを液晶表示装置と称する場合もある。
【００１５】
図１は本発明にかかる液晶表示装置のシステム構成を説明するブロック図である。ここでは、反射型の液晶表示装置を例として説明する。液晶表示装置１２８は、画素がマトリクス状に配置される液晶パネル１２４，走査配線を駆動する走査線駆動回路（以下、ゲートドライバとも称する）１２６，信号配線を駆動する信号配線駆動回路（以下、ソースドライバとも称する）１２５，制御手段であるコントロールＩＣ１２９，画像データを蓄積する画像メモリ１２７から構成される。各画素を構成する画素電極に対向する電極を対向電極とし、対向電極の電位を対向電極電位とする。ここでは、薄膜トランジスタ等を有する基板を下基板（一方の基板）とし、対向電極を有する基板を上基板（他方の基板）とする。
【００１６】
図２は液晶パネルの下基板に形成される一画素付近の構造を説明する平面図である。図２に示すように、信号配線１０９と走査配線１０８との交差部に薄膜トランジスタ(TFT)１０１が設けられている。この薄膜トランジスタ１０１には上側容量パッド１１４が接続されている。該容量上側パッド１１４は対向電極電位と同電位にある容量配線１０６に接続されている下側容量パッド１１３とで保持容量を形成している。Ａｌ等の導電性の反射部材で形成される画素電極（以下、反射電極とも称する）１１１はスルーホール１１２を通して上記上側容量パッド１１４に接続されている。また、画素電極１１１と該画素電極１１１と対向して形成された対向電極とで液晶層を挟み、一つの画素毎に画像データに応じた電圧を液晶層に印加し反射率を制御する。ここでは、画素電極１１１は上側容量パッド１１４上で信号配線１０９の延在方向にオーバーラップして配置した方式としたものを示したが、このような構成に限らない。なお、構成の理解を容易にするため、図２では注目画素上の画素電極１１１は除去してある。
【００１７】
画素電極１１１を薄膜トランジスタ１０１が丁度、画素電極１１１の中央に位置するように配置することで画素電極間から入射してくる光を薄膜トランジスタ１０１に到達する前に減衰させ、光リーク電流の発生を防ぐことができる。さらに、図２に示される様に、薄膜トランジスタ１０１の位置は、画素に配設される薄膜トランジスタ１０１のソース電極１３１に接続される信号配線１０９と該画素を挟んで該信号配線１０９と反対側に配置されている信号配線１０９との間の中央に位置するようにする。このようにすることで、画素電極１１１を信号配線１０９と重ならないようにしながら、薄膜トランジスタ１０１を画素電極１１１の中央に位置するように配置することができ、信号配線１０９からの画素電極１１１への影響を防ぎつつ薄膜トランジスタ１０１の光リーク電流を抑えることが
できる。本実施例においては、反射型の液晶表示装置を例として説明しているので、画素電極は導電性の反射部材で形成されているが、透過型の液晶表示装置においては、画素電極は導電性の透明な部材で形成されている。このような画素電極は光を透過するので、前記導電性の透明な部材で形成される電極を当該導電性の透明な部材で形成される電極の中央に薄膜トランジスタが位置するように配置しても光リーク電流の発生を防ぐことはできない。また、半透過反射型の液晶表示装置においては、画素電極は導電性の透明な部材と反射部材で形成される。この場合、導電性の反射部材で形成される電極部分を薄膜トランジスタが丁度、前記導電性の反射部材で形成される電極部分の中央に位置するように配置することで、上記のように光リーク電流の発生を防ぐことができる。
【００１８】
図３は図２のＡ−Ａ′線に沿った画素の断面図である。図３に示されたように、下基板はガラス基板１１９Ａ上に形成された走査配線１０８に接続されるゲート電極１３０とα−Ｓｉ半導体層１１５と信号配線１０９に接続されるソース電極１３１と上側容量パッド１１４に接続されるドレイン電極１３２とゲート絶縁膜１２３からなる薄膜トランジスタ１０１と該薄膜トランジスタ１０１上に形成された層間絶縁膜１２２と層間絶縁膜１１２上に形成された反射電極を兼ねる画素電極１１１から構成される。また、容量配線１０６及び下側容量パッド１１３はゲート電極１３０と同層であり、ガラス基板１１９上に形成される。上側容量パッド１１４は信号配線１０９と同層である。
【００１９】
層間絶縁膜１２２上に形成された画素電極１１１側の表面は、反射光を制御するために凹凸が付与されている。上基板においては、ガラス基板１１９Ｂの薄膜トランジスタを有するガラス基板１１９Ａに対向する側の表面上にカラーフィルタ１１８が形成され、その上に透明電極１１７が形成されている。また、ガラス基板１１９Ｂのカラーフィルタ118が形成されている側と反対側の表面上には、位相差板１２０と偏光板１２１が形成されている。
【００２０】
図４は実施例における液晶表示装置を構成する液晶パネルの配線例を示す模式図である。図４において、ゲートドライバ１２６の上端の走査配線を１行目とし、順次、下の行に進むにつれて、２行目，３行目の走査配線とする。ソースドライバ１２５の左端の信号配線を１列目とし、順次、右の列に進むにつれて、２列目，３列目の信号配線とする。さらに、１行目の走査配線と１列目の信号配線の交差部に配設される薄膜トランジスタのドレイン電極に接続される画素電極を有する画素を１行１列番目の画素１３５とし、該画素
１３５を基準として、各画素にマトリクスの行と列の番号の組（ｎ，ｍ）が付与される。ここで、ｎは１以上Ｎ以下の整数であり、ｍは１以上Ｍ以下の整数である。信号配線の数はＭ＋１本で、ソースドライバ１２５には、１からＭ列目までの信号配線が接続されている。Ｍ＋１列目の信号配線は１列目の信号配線に接続されている。走査配線の数はＮ本で、全ての走査配線はゲートドライバ１２６に接続されている。ｎが奇数に属する行のそれぞれの画素に配設される薄膜トランジスタのソース電極は、１からＭ列目までのそれぞれの信号配線に順次接続されている。ｎが偶数に属する行のそれぞれの画素に配設される薄膜トランジスタのソース電極は、２からＭ＋１列目までのそれぞれの信号配線に順次接続されている。
【００２１】
ここで、以後の説明のために、幾つかの定義を行う。
【００２２】
１フレーム期間を次に定義される走査期間と該走査期間に続く保持期間から構成する
（液晶パネルに表示される画像の１フレーム期間を１フレーム分の画像データを液晶パネルに書き込む走査期間と、前記走査期間に続けて前記走査期間よりも長く非走査状態とする保持期間）。
【００２３】
走査期間を液晶パネルに配設される全画素電極に所望の画像データに対応する電位を与える期間とし、その走査期間の直後に液晶パネルに配設される全走査配線を非選択状態にしておく期間を保持期間と定義する。
【００２４】
液晶パネルに配置される信号配線のうち、ある信号配線に着目したときに、連続的に繰り返されるフレーム期間のうち、走査期間において、その信号配線から分岐する各画素の選択期間直後の画素電極電位が常に対向電極電位より高い状態にあるフレーム期間、若しくは、走査配線の電位が選択電位から非選択電位に変化するときに、その信号配線の電位が対向電極電位より大きい電位にある走査期間とその走査期間に続く保持期間からなるフレーム期間を正極性フレーム期間と定義する。
【００２５】
また、液晶パネルに配置される信号配線のうち、ある信号配線に着目したときに、連続的に繰り返されるフレーム期間のうち、走査期間において、その信号配線から分岐する各画素の選択期間直後の画素電極電位が常に対向電極電位より低い状態にあるフレーム期間、若しくは、走査配線の電位が選択電位から非選択電位に変化するときに、その信号配線の電位が対向電極電位より小さい電位にある走査期間とその走査期間に続く保持期間からなるフレーム期間を負極性フレーム期間と定義する。
【００２６】
連続的に繰り返されるフレーム期間において、あるフレーム期間に着目したときに、正極性フレーム期間における駆動を行っている信号配線を正極性信号配線と定義する。負極性信号配線の定義を、連続的に繰り返されるフレーム期間において、あるフレーム期間に着目したときに、負極性フレーム期間における駆動を行っている信号配線とする。
【００２７】
そして、液晶パネルに配設されるある画素において、画素電極と対向電極に挟持された液晶層の両端の電位差を液晶電圧とし、対向電極電位を基準として画素電極電位が高い電位にある場合は、画素電極と対向電極に挟持された液晶層の両端の電位差を正極性の液晶電圧とし、若しくは、あるフレームにおいて画素に接続される走査配線の電位が選択電位から非選択電位に変化するときに、その画素が接続される信号配線の電位が対向電極電位より大きい電位にあるとき、その時の画素の液晶電圧を正極性の液晶電圧と定義する。
【００２８】
また、対向電極電位を基準として画素電極電位が低い電位にある場合は負極性の液晶電圧とし、若しくは、あるフレームにおいて画素に接続される走査配線の電位が選択電位から非選択電位に変化する直前に、その画素が接続される信号配線の電位が対向電極電位より小さい電位にあるとき、その時の画素の液晶電圧を負極性の液晶電圧と定義する。
【００２９】
図４において、“＋”記号が書かれている信号配線は正極性信号配線であり、“−”記号が書かれている信号配線は負極性信号配線であることを示している。“＋”記号が書かれている画素は書き込まれる液晶電圧の極性が正であり、“−”記号が書かれている画素は書き込まれる液晶電圧の極性が負となる。上記の様に配線された液晶パネル１２４において、図４に示した様に一つの信号配線毎に正極性信号配線と負極性信号配線が交互に繰り返されていると、書き込まれる液晶電圧の極性が１画素毎に交互に反転する。そのため、上記のような配線と駆動をすることで液晶電圧の１走査期間当たりの極性反転回数がフレーム反転駆動を行った場合と同じ回数のままで、擬似的にドット反転駆動を行うことが可能となっている。このような擬似的にドット反転駆動をすることで空間的に分布する直流成分起因のフリッカを知覚できないようにすることができる。
【００３０】
図５は本発明の実施例における走査期間に各信号配線に画像データを転送する方法の説明図である。前記した配線において、ある行における１列目の画素からＭ列目の画素に書き込まれるべき画像データの列を１列目の画素に書き込まれるべき画像データから順にＭ列目の画素に書き込まれるべき画像データまでを、Ｄ1，Ｄ2，Ｄ3，…，ＤMとラベルする。ソースドライバ１２５に有するＭ個のメモリセルをＳ1，Ｓ2，Ｓ3，…，ＳMとラベルする。ここでは、ｊを１以上Ｍ以下の整数として、ｊ列目の信号配線にはメモリセルＳj に蓄積されている画像データに応じた電位が印加される。
【００３１】
奇数行の走査配線が選択されているときは、ここでは、ｊを１以上Ｍ以下の整数として、メモリセルＳjには、画像データＤjが蓄積され、偶数行の走査配線が選択されているときは、メモリセルＳ1には、画像データＤMが蓄積される。ここでは、ｊを２以上Ｍ以下の整数として、メモリセルＳjには、画像データＤj-1が蓄積されるように、コントロール
ＩＣ１２９で画像データ転送を制御する。
【００３２】
前記の配線例では、１からＭ列目までの信号配線がソースドライバ１２５に接続されているが、この配線例において、２からＭ＋１列目までの信号配線をソースドライバ１２５に接続しても、Ｍ＋１列目の信号配線は１列目の信号配線に接続されているので、コントロールＩＣ１２９で各メモリセルへの画像データの転送を制御すれば、擬似的にドット反転駆動をすることができる。
【００３３】
また、各画素に配設される薄膜トランジスタのソース電極と信号配線は、ｎが偶数に属する行のそれぞれの画素に配設される薄膜トランジスタのソース電極が１からＭ列目までのそれぞれの信号配線に順次接続されており、ｎが奇数に属する行のそれぞれの画素に配設される薄膜トランジスタのソース電極が２からＭ＋１列目までのそれぞれの信号配線に順次接続されている様な場合においても、Ｍ＋１列目の信号配線が１列目の信号配線に接続されていれば、コントロールＩＣ１２９で各メモリセルへの画像データの転送を制御することで、擬似的にドット反転駆動をすることができる。
【００３４】
図６は本発明の実施例における液晶表示装置を構成する液晶パネルに配設されるｎ行ｍ列番目の画素の等価回路の説明図であり、本実施例で説明される液晶パネル１２４内のｎ行ｍ列番目の画素の構成を示す。図６において、走査配線１０８と信号配線１０９の交差部に薄膜トランジスタ（ＴＦＴ）１０１が接続され、この薄膜トランジスタ（ＴＦＴ）
１０１で駆動される画像電極と対向電極１０５の間に挟持される液晶は液晶抵抗１０２と液晶容量１０３の並列回路で表される。符号１０４は保持容量、１１０は信号配線と画素電極間の寄生容量、１０６は容量配線を示す。また、図７は本発明の実施例における液晶表示装置を構成する液晶パネルに配設される画素の非選択期間における等価回路の説明図であり、非選択期間におけるｎ行ｍ列番目の画素の回路図と液晶リーク電流１３４及び薄膜トランジスタのリーク電流１３３を簡略的に示した図である。
【００３５】
図７に示した状態は、ｎ行目の走査配線電位Ｖgnが非選択の状態であり、薄膜トランジスタは約１×１０13Ω程度の抵抗器として回路的に表される。該抵抗器を薄膜トランジスタのオフ抵抗１０７とする。選択期間から非選択期間に移行した直後は、前記画素の画素電極と対向電極１０５に挟持された液晶層には、画像データに応じた液晶電圧が印加されている。保持容量１０４には、該液晶電圧と同じ電圧が印加されている。対向電極電位
Ｖcom と該画素に接続される信号配線の電位Ｖsigmに応じて、液晶層および保持容量104に印加されている電圧は時間変動する。
【００３６】
以下では、上述した液晶表示装置の具体的な駆動方法について詳細に説明する。具体的な駆動方法には次の３通りの方法がある。
【００３７】
（１）第１の具体例
ここで、本具体例を説明する際のフリッカの度合いを定量的に表すために、フリッカ強度を定義する。図８はフリッカ強度の定義を説明するための反射率の時間変動の説明図であり、静止画表示時において、フレーム周波数１５Ｈｚで駆動されている場合における反射率変動を表す。図８の横軸は時間（ｓ）で、縦軸は反射率（％）を表す。図８に示されるようにＲmax を、ある画像データに対して、ある１フレーム期間において反射率が最も大きくなる反射率とする。Ｒmin を前記１フレーム期間において反射率が最も小さくなる反射率とする。Ｒmax，Ｒminを用いてフリッカ強度ΔＩを
【００３８】
【数６】
2004206075.tif 000003
【００３９】
と定義する。
【００４０】
また、表１に主観評価より得られる各フレーム周波数と検知限となるフリッカ強度の平均値を示す。
【００４１】
【表１】
2004206075.tif 000004
【００４２】
図９は検知限に対応するフリッカ強度の周波数依存性を示す図であり、１フレーム当りの輝度が５０ｃｄの場合の主観評価の結果を示す。図９の横軸はフレーム周波数（Ｈｚ）を、縦軸はフリッカ強度（％）である。この主観評価は２４歳から５５歳の６人に対して行った。検知限となるフリッカ強度は個人によって差があり、図９中の黒丸は６人の検知限となるフリッカ強度の平均値を表し、当該黒丸を通る縦線で表されるエラーバーの上限は、検知限となるフリッカ強度の上限を表す。また、エラーバーの下限は検知限となるフリッカ強度の下限を表す。図９に示されたように、１５Ｈｚ以下のフレーム周波数になると上限と下限の値が殆ど変わらない。液晶表示装置の静止画表示時における反射率変動が検知限以上のフリッカ強度を示す場合、該液晶表示装置の静止画表示時においてちらつきが知覚される。
【００４３】
また、フレーム周波数と検知限となるフリッカ強度（平均）の関係において、フレーム周波数が１５Ｈｚの時の検知限となるフリッカ強度の平均値は３.５ で、フレーム周波数が４５Ｈｚの時の検知限となるフリッカ強度の平均値８３に比べて、非常に小さな値になる。従って、フレーム周波数を低周波数にすればするほど、画素の反射率変動を小さく抑える必要があり、６０Ｈｚで駆動する場合に比べて技術的に難易度が上がる。本具体例の駆動方法によれば、フレーム周波数が３０Ｈｚ，１５Ｈｚ，１０Ｈｚ等、フレーム周波数を６０Ｈｚより低い周波数で駆動する場合に、液晶表示装置の静止画表示時のフリッカ強度が、それぞれのフレーム周波数において、それぞれのフレーム周波数における前記検知限より小さくなり、低いフレーム周波数で駆動してもちらつきの無い良好な表示を得ることができる。
【００４４】
図１０は本発明の実施例における液晶表示装置の具体的な駆動方法を説明するタイミング図であり、ｎ行ｍ列番目の画素に接続される信号配線の電位Ｖsigmの連続する正極性フレーム期間と負極性フレーム期間におけるタイミングと、液晶表示装置の各フレーム期間の走査が始まる走査配線を第１走査配線とし、第２走査配線を第１走査配線の次に走査する走査配線とし、ｉ番目（ｉは１以上Ｎ−１以下の整数）に走査する走査配線を第ｉ走査配線，走査期間の最後に走査される配線を最終走査配線と定義したとき、第１走査配線の電位から最終走査配線までの電位（Ｖg1〜Ｖgn〜ＶgN）のタイミングとｎ行ｍ列番目の画素電極の電位Ｖnmのタイミング、およびｎ行ｍ列番目の画素の光学応答波形のタイミングを説明するものである。なお、対向電極電位Ｖcom は時間的に一定な電位である。
【００４５】
本具体例においては、説明を簡単化するために、１行目の走査配線は第１走査配線のことを示し、ｎ行目の走査配線は第ｎ走査配線のことを示しているが、必ずしも、ｎ行目の走査配線は、第ｎ走査配線と一致しない。
【００４６】
本具体例では、極性反転する駆動方法において１走査期間あたりの極性反転回数が最も低いために低消費電力で駆動でき、且つ、走査期間において信号配線から分岐する画素の液晶電圧が常に同符号をとるように該信号配線が駆動されるため、該信号配線から分岐する画素電極電位の走査期間中における変動が１Ｈ反転駆動などに比べて小さいという理由から、列毎に信号配線から分岐する画素の液晶電圧が反転している列毎反転駆動を行う。列毎反転駆動の１走査期間あたりの極性反転回数はフレーム毎極性反転駆動の極性反転回数と同じ１回であり、１水平期間ごとに極性反転する１Ｈ反転駆動の極性反転回数Ｎ（Ｎは全走査配線数、現行の携帯電話用の液晶パネルではＮは１００以上）に比べて非常に小さい。列毎反転駆動を行うので、図１０に示した走査期間において、ｎ行ｍ列番目における画素電極電位Ｖnmと対向電極電位Ｖcomとの差Ｖnm−Ｖcomは、正極性フレーム期間のｎ行目の走査配線の選択期間後においては正で、負極性フレーム期間のｎ行目の走査配線の選択期間後においては負となり、極性反転している。
【００４７】
図１０に示した走査期間において、順次走査配線が選択される。この期間、信号配線電位は１Ｈ期間ごとに選択された画素の画像データに応じて変動している。信号配線から分岐している画素電極は信号配線電位の変動の影響を受ける。そのため、図１０に示した様に、非選択期間においてもｎ行ｍ列番目の画素電極電位Ｖnmは、ｎ行ｍ列番目の画素に接続される信号配線の電位Ｖsigmの変動の影響を受けて変動する。走査期間が１／１５秒より長い場合は、上記の様な画素電極電位Ｖnmの変動によってフリッカが発生することもある。しかしながら、信号配線電位の変動の影響を、短期間の間だけ（好ましくは１／３０秒より短期間）非選択状態にある薄膜トランジスタ及び信号配線と画素電極との容量結合を介して、画素電極が受けている状態での画素電極電位Ｖnmの変動は光学応答に殆ど影響を示さない。
【００４８】
次に、図１０に示される保持期間における駆動に関して説明する。表示品位を損なわないで低消費電力化をするためには、保持期間を信号配線電位を変動させなければならない走査期間より長くすることによってフレーム期間を長くするのが好ましい。例えば、フレーム周波数を現行の動画のコマ数（１５コマ／秒）から考えて１５Ｈｚにする。この場合、走査期間を現行のフレーム期間と同じ１／６０秒とし、保持期間を３／６０秒とすることで、画像データの全画素への書き込みに対する要求は現行のままとしながら、低消費電力化を行うことができる。この場合、保持期間は走査期間の３倍の長さとなる。そのため、保持期間における画素電極電位は、液晶リーク電流及び薄膜トランジスタのオフリーク電流のために大きく変動し、反射率変動が起こりフリッカとして知覚されることがある。従って、液晶リーク電流及び薄膜トランジスタのオフリーク電流に起因する画素電極電位の変動に対して対策をする必要がある。
【００４９】
ここで、液晶リーク電流及び薄膜トランジスタのオフリーク電流に起因するｎ行ｍ列番目の画素電極電位の変動について、非選択期間におけるｎ行ｍ列番目の画素の回路図を表す図１１乃至図１３を用いて詳しく説明する。
【００５０】
図１１は非選択期間におけるｎ行ｍ列番目の画素の等価回路の説明図であり、この回路の端点の一つの電位はｎ行ｍ列番目の画素に接続される信号配線の電位Ｖsigmに、もう一方の端点の電位は対向電極電位Ｖcomになっている。
【００５１】
図１２は非選択期間におけるｎ行ｍ列番目の画素に接続される信号配線電位が変動していない場合の該画素の等価回路の説明図である。また、図１３は非選択期間におけるｎ行ｍ列番目の画素に接続される信号配線電位が変動している場合の該画素の等価回路の説明図である。
【００５２】
図１１の回路はｎ行ｍ列番目の画素に接続される信号配線に直列に薄膜トランジスタのオフ抵抗Ｒoff １０７と該信号配線と該画素電極間の寄生容量Ｃsd１１０からなる並列回路が接続されている。さらに、薄膜トランジスタのオフ抵抗Ｒoff １０７と該信号配線と該画素電極間の寄生容量Ｃsd１１０からなる該並列回路には、液晶抵抗Ｒl １０２と液晶容量Ｃl １０３と保持容量Ｃstg １０４からなる並列回路が直列に接続されている。該並列回路において、薄膜トランジスタのオフ抵抗Ｒoff １０７と該信号配線と該画素電極間の寄生容量Ｃsd１１０からなる並列回路が接続されている側とは反対側の端点の電位は対向電極電位Ｖcom になっている。対向電極とｎ行ｍ列番目の画素の画素電極に挟持される液晶層に印加されている液晶電圧Ｖlcは、回路図１１における液晶容量Ｃl １０３の両端の電位差と同じである。よって、液晶容量Ｃl １０３の両端の電位差が変動しないようにすれば、反射率の変動は起こらない。
【００５３】
画素が非選択状態にある場合、図１１は一般的に図１３に示されるような電位差Ｖsigm−Ｖcom で変動する電源を備えた回路と等価である。ｎ行ｍ列番目の画素に接続される信号配線の電位Ｖsigmがある一定な電位になっている場合は、該信号配線電位Ｖsigmが対向電極電位Ｖcom より大きいと仮定すると、図１１に示された回路図は図１２に示される電位差Ｖsigm−Ｖcom の直流電源を備えた回路と等価である。また、該信号配線電位Ｖsigmが対向電極電位Ｖcomより小さい場合は、電位差Ｖsigm−Ｖcomが負となる直流電源を備えた図１２に示される回路と等価である。
【００５４】
図１１乃至図１３に示される回路図からわかるように、液晶電圧Ｖlcは、薄膜トランジスタのオフ抵抗Ｒoff，液晶抵抗Ｒl，液晶容量Ｃl，保持容量Ｃstg及び電位差Ｖsigm−
Ｖcom に依存して変動する。そのため、例えば前記回路系を構成している部品の一つである液晶抵抗を単独で高くしても、液晶電圧Ｖlcは、その他の回路部品（特に薄膜トランジスタのオフ抵抗Ｒoff １０７）や、電位差Ｖsigm−Ｖcom に依存して変動する。従って、液晶電圧Ｖlcの変動を軽減するためには前記回路系全体を考慮する必要がある。
【００５５】
ｎ行ｍ列番目の画素の１フレーム期間の駆動に伴う液晶電圧Ｖlcの変動について解析した結果を説明する。まず、選択期間においてｎ行ｍ列番目の画素に対応した画像データ電位が画素電極に印加される。その直後、非選択期間になると同時にｎ行ｍ列番目の画素の回路モデルは、図１１に示したようになる。選択期間の直後の液晶電圧をＶlco とする。前記ｎ行ｍ列番目の画素が最終走査配線に接続されていない場合は、選択期間後も残りの全走査配線の走査が終了するまで信号配線電位Ｖsigmは残りの画素に所定の画像データを供給するために変動する。従って、図１１の回路図は図１３の回路図と等価になる。液晶電圧Ｖlcの時間変化は、次式（７）で表される。
【００５６】
【数７】
2004206075.tif 000005
【００５７】
式（７）より、液晶電圧Ｖlcの時間変化を抑えるためには、式（７）の右辺第１項と第２項の打ち消し合いを行い、第３項は、その絶対値を小さくすると良い。そのためには、選択期間後の信号配線電位と対向電極電位の電位差Ｖsigm−Ｖcom の正負の極性を前記液晶電圧Ｖlco の極性と同じくする必要がある。また、式（７）右辺第３項より、電位差
Ｖsigm−Ｖcom の走査期間中における振幅を小さくする必要がある。従って、走査期間全てに渡って信号配線電位と対向電極電位の大小関係がほとんどの階調において等しく、電位差Ｖsigm−Ｖcom の最大振幅が表示に使用する液晶電圧の絶対値の最大値とほとんど等しい列毎反転駆動の方が１Ｈ期間毎にｎ行ｍ列番目の画素に接続される信号配線の電位と対向電極電位の大小関係が交互に反転するような１Ｈ反転駆動より、画素の液晶電圧変動が少ないことが式（７）より分る。
【００５８】
走査期間においては式（７）に従って液晶電圧Ｖlcは変化するが、列毎反転駆動を行うということと、走査期間が１／３０秒より短期間であるということから、走査期間においてフリッカが発生する程大きな液晶電圧Ｖlcの変動は起こらないと考えられる。
【００５９】
次に、保持期間における駆動について説明する。液晶電圧Ｖlcの時間変化は、信号配線が任意の電位変動をする場合は、式（７）で与えられている。従って、ある選択期間後の保持期間における信号配線電位と対向電極電位の、液晶電圧Ｖlcの時間変化を抑えるための電位差Ｖsigm−Ｖcom の極性は上記したとおりであり、該選択期間の直後の液晶電圧
Ｖlcoの極性と同じである。さらに、液晶電圧Ｖlcの時間変化を抑えるためには、式(７）の右辺第３項より、信号配線電位と対向電極電位の差が時間に依らず一定である必要がある。本具体例においては、対向電極電位が一定であるので、保持期間における信号配線電位を一定にすることで、式（７）の右辺第３項の影響、つまり容量結合による信号配線の影響を抑えることができる。したがって、保持期間における信号配線電位を一定にする。
【００６０】
保持期間における信号配線電位を一定にすることで、ｎ行ｍ列番目の画素の保持期間における回路モデルは図１２に示した通りになり、液晶電圧Ｖlcの時間変化は、次式（８）で表される。
【００６１】
【数８】
2004206075.tif 000006
【００６２】
ここで、厳密には、式（８）中のＶlc1 は走査期間が終了した直後のｎ行ｍ列番目の画素の液晶電圧Ｖlcの値になるが、走査期間中には大きな該電圧変動は起こらないと考えられる。よって、以下の説明においては、Ｖlc1＝Ｖlc0とする。
【００６３】
保持期間においては、式（８）に依れば、ｎ行ｍ列番目の画素に接続される信号配線の電位Ｖsigmの値によって、ｎ行ｍ列番目の画素の液晶電圧Ｖlcの変動が全く無くなるようにすることができる。その時の該信号配線電位Ｖsigmの値は次式（９）の値になるときである。
【００６４】
【数９】
2004206075.tif 000007
【００６５】
式（９）より、ある選択期間後の保持期間において、ｎ行ｍ列番目の画素の液晶電圧
Ｖlcの変動が全く無くなる時の信号配線電位と対向電極電位の電位差Ｖsigm−Ｖcom の極性は、該選択期間の直後の液晶電圧Ｖlc0 の極性と等しい。
【００６６】
ここで、本駆動方式で扱う物理現象について詳しく説明する。従来の駆動方法において液晶リーク電流及び薄膜トランジスタのオフリーク電流起因の画素電極電位変動を低減する方法としては、液晶リーク電流と薄膜トランジスタのオフリーク電流に相関が無いものとして、液晶リーク電流及び、薄膜トランジスタのオフリーク電流に対する対策をそれぞれ個別に行っている。例えば、液晶リーク電流に対する対策としては、液晶材料の比抵抗を上げることで液晶リーク電流を減少させるという材料による改善等が挙げられる。
【００６７】
また、薄膜トランジスタのオフリーク電流に対する対策については、薄膜トランジスタのオフ抵抗が最も大きくなる様に、非選択期間における走査配線電位を最適化する駆動方法や、信号配線電位と画素電極電位を略同電位にすることで薄膜トランジスタのオフ抵抗を大きくするという駆動方法が行われている。しかしながら、上記の方法では、液晶リーク電流及び、薄膜トランジスタのオフリーク電流に対する対策をそれぞれ個別に行っているだけであり、薄膜トランジスタ及び、液晶層からなる系にとって最適な対処とは言えない。
【００６８】
本駆動方法は、薄膜トランジスタと液晶層及び保持容量からなる系における液晶電圧の時間発展を考慮することによって、画素電極電位の変動を抑制する最適な駆動方法である。液晶電圧の変動が起こる根本的な原因は、液晶容量及び保持容量に蓄えられている電荷量が変動することにある。図１２を見ると分るように、薄膜トランジスタのオフ抵抗
Ｒoff １０７と液晶層は直列に接続されている。そのため、薄膜トランジスタのオフリーク電流の絶対値及び薄膜トランジスタのオフリーク電流の流れる方向と、液晶リーク電流の絶対値及び液晶リーク電流の流れる方向が等ければ、液晶容量Ｃl １０３及び保持容量Ｃstg １０４に蓄えられている電荷量は変化せず、液晶電圧は変化しない。実際に、ｎ行ｍ列番目の画素において、保持期間のｎ行ｍ列番目の画素に接続される信号配線の電位
Ｖsigmが式（９）の値をとるとき、図１２に示した該画素の回路モデルによれば薄膜トランジスタのオフ抵抗Ｒoff を流れる電流の方向と絶対値は液晶抵抗Ｒl を流れる電流の方向と絶対値と等しくなり、液晶容量に蓄積されている電荷量は常に一定となる。
【００６９】
以上では、ｎ行ｍ列番目の画素において、該画素の液晶電圧Ｖlcが一定になるような保持期間における該画素に接続される信号配線の電位の値と該信号配線の駆動方法について説明した。しかしながら、該画素の液晶電圧Ｖlcが一定になるような保持期間における該信号配線の電位の値は、式（８）を見れば分かるように、保持期間に移行する直前の走査期間に該画素に書き込まれる画像データに依存する。したがって、ある信号配線から分岐する全画素が常に同じ画像データの場合以外は、該信号配線電位を保持期間において、該信号配線から分岐する全ての画素の液晶電圧が一定になるような値にすることはできない。しかしながら、液晶パネルの液晶電圧に対する非線形な反射率特性を考慮すると、透過率若しくは反射率の最大値の約半分の透過率若しくは反射率を示す階調に対応する画像データに対してのみ液晶電圧が一定になる駆動を行えば、全ての画像データに対して液晶電圧の変動を抑制することができ、保持期間が１／６０秒に比べて長い場合においても、ちらつきの無い良好な表示特性が得られる。
【００７０】
次に、画素の液晶電圧Ｖlcが一定になるような上記駆動を行う液晶電圧として、透過率若しくは反射率の最大値の約半分の透過率若しくは反射率を示す階調に対応する液晶電圧を選んだ理由について詳しく説明する。先ず、本実施例において、液晶パネルの反射率の液晶電圧依存性を測定した方法について説明する。液晶パネルの全ての、若しくは、反射率測定領域に含まれる画素全てに接続される走査配線を測定期間全てにわたって選択状態にし、対向電極電位を振幅中心とする矩形波を各信号配線に印加する。この時、信号配線電位が対向電極電位より大きい期間においては、該信号配線電位と該対向電極電位の電位差を、該信号配線から分岐する画素の正極性の液晶電圧として、前記信号配線電位が対向電極電位より大きい期間における反射率の液晶電圧依存性を測定する。該反射率の液晶電圧依存性を正極性フレーム期間における反射率の液晶電圧依存性とし、信号配線電位が対向電極電位より小さい期間においては、該信号配線電位と該対向電極電位の電位差を、該信号配線から分岐する画素の負極性の液晶電圧として、前記信号配線電位が対向電極電位より小さい期間における反射率の液晶電圧依存性を測定し、該反射率の液晶電圧依存性を負極性フレーム期間における反射率の液晶電圧依存性とする。
【００７１】
図１４は上記の方法で測定された液晶パネルの正極性フレーム期間における反射率の液晶電圧依存性をグラフで示す説明図である。図１４において、Ｖ10は反射率の最大値に対して約１０％の反射率の場合の正極性の液晶電圧、Ｖ50は反射率の最大値に対して約５０％の反射率の場合の正極性の液晶電圧、Ｖ90は反射率の最大値に対して約９０％の反射率の場合の正極性の液晶電圧を示す。反射率を正極性の液晶電圧Ｖlcp の関数として
Ｔ(Ｖlcp)とすると、正極性の液晶電圧に対する反射率の変化率は、ｄＴ(Ｖlcp)／
ｄＶlcpとなる。
【００７２】
図１４より、ｄＴ（Ｖlcp）／ｄＶlcpは正極性の液晶電圧がＶ10を超えると急激に大きくなり始め、Ｖ50近傍で略最大値をとり、Ｖ50以降では徐々に減少し始め、Ｖ90で急激に小さくなる。従って、電圧変動によって最もフリッカの発生しやすい正極性の液晶電圧はＶ50付近となる。同様に、負極性フレーム期間における反射率の液晶電圧依存性を示すグラフを用いることによって、電圧変動によって最もフリッカの発生しやすい負極性の液晶電圧も、反射率の最大値に対して約５０％の反射率を示す負極性の液晶電圧の値となることが分かる。従って、透過率若しくは反射率の最大値の約半分の透過率若しくは反射率を示す階調近傍の階調で発生するフリッカを最も抑えるように駆動を行うことが重要である。
【００７３】
また、正及び負それぞれのフレーム期間における反射率の液晶電圧依存性において、各フレーム期間における反射率の最大値に対して約５０％の反射率を示す液晶電圧は、各フレーム期間における反射率の最大値に対して約１０％の反射率を示す液晶電圧と各フレーム期間における反射率の最大値に対して約９０％の反射率を示す液晶電圧の略中間の値になっている。このため、透過率若しくは反射率の最大値の約半分の透過率若しくは反射率を示す階調の画像データを保持している画素に対して画素の液晶電圧が一定になる信号配線電位が、反射率の最大値に対して約１０％の反射率を示す画像データを保持している画素の液晶電圧を一定にする信号配線電位にも、反射率の最大値に対して約９０％の反射率を示す画像データを保持している画素の液晶電圧を一定にする信号配線電位とも大きく異なる値とならない。したがって、信号配線電位を透過率若しくは反射率の最大値の約半分の透過率若しくは反射率を示す階調の画像データを保持している画素に対して画素の液晶電圧が一定になるように駆動することによって液晶パネルの全ての画素の保持期間における液晶電圧変動を少なくすることができる。
【００７４】
以上から、図１０に示されたように、信号配線は走査期間において極性反転する駆動方法において最も１走査期間あたりの極性反転回数が低いために低消費電力で駆動でき、そして且つ、該信号配線から分岐する画素電極電位の走査期間中における変動が小さい列毎反転駆動をすることによって、該信号配線から分岐する画素電極に所望の電位を与えるように駆動される。次に、保持期間における信号配線電位は中間調の画像データを保持している画素に対して画素の液晶電圧が一定になるような電位に固定される。つまり、正極性信号配線の場合は、正極性信号配線の保持期間における電位をＶspとして、ＶP を液晶表示装置の反射率の最大値に対して約５０％の反射率をとる場合の正極性の液晶電圧の絶対値として、正極性信号配線の保持期間における電位Ｖspは、略式（１０）で与えられる値となる。
【００７５】
【数１０】
2004206075.tif 000008
【００７６】
また、負極性信号配線の場合は、負極性信号配線の保持期間における電位をＶsmとして、Ｖm を液晶表示装置の反射率の最大値に対して約５０％の反射率をとる場合の負極性の液晶電圧の絶対値として、負極性信号配線の保持期間における電位Ｖsmは、略式（１１）で与えられる値である。
【００７７】
【数１１】
2004206075.tif 000009
【００７８】
以上の保持期間における正極性及び負極性信号配線電位の設定は、各信号配線毎に行っても良いし、部分的に行っても良い。また、全信号配線を同時に行っても良い。以上のような駆動によって、図１０に示されたような光学応答波形を得ることができ、ちらつきの無い高品質の表示を行うことができる。
【００７９】
図１５は本発明の実施例における液晶表示装置の具体的な駆動方法を説明するタイミング図であり、正極性フレーム期間と負極性フレーム期間における、ｎ行ｍ列番目の画素電極の電位と、該画素の光学応答波形と各駆動信号とを示すタイミングを示す。ちなみに、上記の保持期間において、ある信号配線の電位が前述された最適な電位Ｖsp，Ｖsmから大幅に違う場合、該信号配線から分岐した画素の光学応答波形は、図１５に示されるようなフレーム周期に同期した反射率変動を示す。図１５中、図１０と同一符号は図１０と同一タイミングの波形を示す。
【００８０】
液晶表示装置において、保持期間における信号配線電位の設定方法をさらに、具体的に説明する。ここで、あるフレーム周波数ｆＨｚのある１フレーム期間の画素電極の電位変動量の絶対値をΔＶ(ｆ)とする。ｆはフレーム周波数を表す。フレーム周波数ｆにおけるある画素について、ある選択期間の直後の画素電極電位をＶfst 、該画素の該選択期間の次の選択期間の直前の画素電極電位をＶlst とすると、ΔＶ(ｆ)＝｜Ｖfst−Ｖlst｜である。静止画表示時において、ΔＶ(ｆ)がある値より大きくなると、反射率変動が検知限以上のフリッカ強度を示すようになる。検知限以上のフリッカ強度を示すようになる寸前のΔＶ(ｆ)をΔＶｃ(ｆ)とする。ΔＶｃ(ｆ)を臨界電位変動量と呼ぶ。
【００８１】
ΔＶｃ(ｆ)を決定する方法としては、先ず液晶パネルの反射率の液晶電圧依存性を測定する。次に、フレーム周波数がｆＨｚの時の検知限となるフリッカ強度ΔＩｃ(ｆ)から、それに対応する反射率の変動値ΔＴｃ(ｆ)を求める。反射率Ｒmax におけるΔＴｃ(ｆ)は、次のように与えられる。
【００８２】
ΔＴｃ(ｆ)＝(Ｒmax−Ｒmin)＝ΔＩｃ(ｆ)×Ｒmax／１００ 液晶パネルの反射率の液晶電圧依存性の測定結果より、反射率Ｒmax における反射率の液晶電圧に対する傾きΔＶlc／ΔＴを求める。ΔＶlc／ΔＴより、反射率Ｒmax における反射率の変動値ΔＴｃ(ｆ)に対応する液晶電圧の変動値ΔＶc1(ｆ)が、ΔＶc1(ｆ)＝ΔＶlc／ΔＴ×ΔＴｃ(ｆ)として求められる。その液晶電圧の変動値ΔＶc1(ｆ)を臨界電位変動量ΔＶc(ｆ )として決定する方法である。
【００８３】
実際に、図１４に示される反射率の液晶電圧依存性と前記表１に示されるフレーム周波数１５Ｈｚのフリッカ強度の検知限３.５ から求められる反射率２３％のときの
ΔＶc1(ｆ)の値は１５ｍＶである。
【００８４】
ここで、走査期間において信号配線が殆ど動かず、１フレーム期間の非選択期間全てにおいて、信号配線電位が一定の場合について、該信号配線電位をＶsig として、液晶電圧Ｖlcの時間変化は下記式（１２）で表される。
【００８５】
【数１２】
2004206075.tif 000010
【００８６】
この場合、Ｖlstは、Ｖlst＝Ｖcom＋Ｖlc（ｔ＝１／ｆ）で与えられ、ΔＶ(ｆ)は、
ΔＶ(ｆ)＝｜Ｖfst−Ｖcom−Ｖlc（ｔ＝１／ｆ）｜で与えられる。ここで、以下の説明のために、非選択期間において、画素電極電位をＶfstのまま保持する最適な電位Ｖoptを、次式（１３）で定義する。
【００８７】
【数１３】
2004206075.tif 000011
【００８８】
ΔＶｃ(ｆ)≧ΔＶ(ｆ)＝｜Ｖfst−Ｖcom−Ｖlc（ｔ＝１／ｆ）｜を満たすように駆動を行った場合、あるフレーム周波数ｆにおいて、１フレーム期間に同期したフリッカが知覚されない。
【００８９】
非選択期間における該信号配線電位Ｖsigが、Ｖopt以上の場合、該フリッカが知覚されない該信号配線電位Ｖsigの範囲は、次式（１４）で示される範囲であり、
【００９０】
【数１４】
2004206075.tif 000012
【００９１】
非選択期間における該信号配線電位Ｖsigが、Ｖopt以下の場合、該フリッカが知覚されない該信号配線電位Ｖsigの範囲は、次式（１５）で示される範囲である。
【００９２】
【数１５】
2004206075.tif 000013
【００９３】
総じて、あるフレーム周波数で駆動されている液晶パネルのある画素において、あるフレーム期間の選択期間の直後の画素電極電位がＶfst の場合、該選択期間の直後の非選択期間における信号配線電位Ｖsig を、次式（１６）の範囲にすれば、該画素の静止画表示時における反射率変動が検知限以下のフリッカ強度を示し、フリッカとして知覚されない。
【００９４】
【数１６】
2004206075.tif 000014
【００９５】
式（１６）の範囲を求めるにあたって、走査期間において信号配線が殆ど動かず、１フレーム期間の非選択期間全てにおいて、信号配線電位が一定であるという仮定をしたが、走査期間において信号配線電位は任意の値をとり、さらに精度を上げて前記信号配線電位のとるべき値の範囲を調べるためには、シミュレーションを実行する必要がある。しかしながら、走査期間が概ね１／３０秒程度より短い場合は、走査期間中には大きな画素電極電位の変動は起こらないと考えられ、保持期間における信号配線電位を式（１６）で求めた範囲にすれば、選択期間直後の画素電極電位の値がＶfst になる画像データを保持している画素の反射率変動が検知限以下のフリッカ強度を示すようになる。
【００９６】
反射率変動が検知限以下のフリッカ強度を示すための信号配線電位の範囲は、画像データに依存する。しかしながら、液晶電圧に対する非線形な反射率特性を考慮すると、保持期間における信号配線電位の値のとるべき値の範囲を、式（１６）で決定する際に、選択期間の直後の画素電極電位Ｖfst と該電位に対応した臨界電位変動量ΔＶｃ(ｆ)の値を中間調に対応する値にすることによって、液晶表示装置は全ての画像データに対して、ちらつきの無い良好な表示をすることができる。なお、望ましくは、保持期間における信号配線電位を、正極性信号配線か負極性信号配線かによって、前述された最適な電位Ｖspか
Ｖsmにする。
【００９７】
また、液晶パネルにおいて、中間調に対応する選択期間の直後の画素電極電位Ｖfst を直接測定して決定することは難しい。しかしながら、前述した液晶パネルの反射率の液晶電圧依存性の測定方法で測定した測定結果より、選択期間の直後の画素電極電位Ｖfst を決定することができる。６０Ｈｚより小さい駆動周波数で駆動されている液晶表示装置の静止画表示時におけるフリッカ強度が検知限以下となっている場合、１フレーム期間において、画素電極電位は、階調が変わるほどの変動はしない。従って、前述した液晶パネルの液晶電圧依存性の測定方法で測定した反射率の液晶電圧依存性は、実際に駆動しているときの反射率の液晶電圧依存性と殆ど同じであるので、前述した液晶パネルの液晶電圧依存性の測定方法で測定した測定結果において、液晶パネルの反射率の最大値に対して約
５０％の反射率をとる場合の正極性の液晶電圧の絶対値がＶP で、液晶パネルの反射率の最大値に対して約５０％の反射率をとる場合の負極性の液晶電圧の絶対値がＶm の場合には、中間調に対応する選択期間の直後の画素電極電位Ｖfst の値は、正極性信号配線から分岐する画素に対しては、Ｖcom＋ＶPとなり、負極性信号配線から分岐する画素に対しては、Ｖcom−Ｖmとなる。
【００９８】
次に、保持期間における正極性信号配線の電位のとるべき値の範囲について、具体的な数値の例について説明する。図１４より、反射率が１００％になる正極性の液晶電圧は、３.２Ｖで、Ｖ10は約１.４Ｖ、Ｖ50は約１.９Ｖ、Ｖ90は約２.４Ｖである。設計パラメーターを次のような値にする。対向電極電位は３.２Ｖ 、薄膜トランジスタのオフ抵抗は１×１０13Ω、液晶比抵抗は１×１０11Ωｍで、液晶パネルの１インチ当たりの画素数を
２００とし、画素電極面積を４６３６μｍ2 とし、液晶層厚を５μｍとし、該画素の全容量を、液晶電圧が１.４Ｖのとき、０.３８ｐＦ、１.９Ｖのとき０.４１ｐＦ、２.４Ｖ のとき０.４２ｐＦ とする。この場合において、フレーム周波数が１５Ｈｚの場合について説明する。
【００９９】
ΔＶc(ｆ＝１５) の値は、図１４に示される反射率の液晶電圧依存性とフレーム周波数１５Ｈｚのフリッカ強度から求められるΔＶc(ｆ) の値は、液晶電圧が１.４Ｖ のときは約２７ｍＶ、２.４Ｖのときは約５６ｍＶ、１.９Ｖのときは約１５ｍＶとなることが分かっている。このときの選択期間直後の画素電極電位Ｖfst の値は、正極性信号配線から分岐する画素に対しては、正極性の液晶電圧が１.４Ｖのときは、Ｖcom＋１.４ であり、
１.９Ｖのときは、Ｖcom＋１.９であり、２.４Ｖのときは、Ｖcom＋２.４である。以上のような条件の場合における選択期間の直後の非選択期間における正極性信号配線電位
Ｖsig のとるべき値の範囲を、表２に示す。表中の数値の単位は［Ｖ］である。
【０１００】
【表２】
2004206075.tif 000015
【０１０１】
表２より、液晶電圧が１.９Ｖ の場合における前記信号配線電位のとるべき値の範囲は、液晶電圧が１.４Ｖ及び２.４Ｖの場合における前記信号配線電位のとるべき値の範囲よりも狭く、液晶電圧が１.４Ｖ及び２.４Ｖの場合における前記信号配線電位のとるべき値の範囲に含まれている。その理由は、液晶電圧がＶ50の場合におけるΔＶｃ（ｆ＝１５）、つまり、透過率若しくは反射率の最大値の約半分の透過率若しくは反射率を示す階調の臨界電位変動量が他の階調のそれに比べて小さいためである。
【０１０２】
ここでは、保持期間における正極性信号配線の電位のとるべき値の範囲の具体的な数値の例について説明したが、保持期間における負極性信号配線の電位のとるべき値の範囲についても同様に求めることができる。
【０１０３】
式（１０）及び（１１）において、薄膜トランジスタのオフ抵抗Ｒoff ［Ω］は、薄膜トランジスタの設計に依存しており、ある程度の範囲で設定できる。画素の薄膜トランジスタのオフ抵抗Ｒoff の決定の方法について詳しく説明する。信号配線電位を発生させるドライバーの耐圧と低消費電力で液晶表示装置を駆動することを考えると信号配線電位は
１０Ｖ程度を上限とすることが望ましい。これらの値は、液晶材料に依存し、液晶材料毎に変わるが、以下の議論は、液晶材料が変わっても同様に成り立ち、以下、説明される設定方法は液晶材料が変わっても、そのまま成り立つ。
【０１０４】
ここで、ＶP＝Ｖm＝１.９ とした場合における式（１０）及び式（１１）で表される保持期間における最適な信号配線電位と対向電極電位の差（以後、最適液晶電圧と呼ぶ）の絶対値を表３に示す。最適液晶電圧の絶対値｜Ｖsig−Ｖcom｜の単位は、［Ｖ］である。
【０１０５】
【表３】
2004206075.tif 000016
【０１０６】
ここで、信号配線電位の上限を１０Ｖとすると液晶電圧の正極性及び負極性の最大電圧は±５Ｖとなる。従って、信号配線電位の上限が１０Ｖと仮定される液晶表示装置において、用いることのできる最適液晶電圧の絶対値｜Ｖsig−Ｖcom｜は、５Ｖ以下になる。
【０１０７】
また、薄膜トランジスタのオフ抵抗Ｒoff の値は、透過率若しくは反射率の最大値の約半分の透過率若しくは反射率を示す階調以外の電圧の保持特性を考えると大きいほうが良い。よって、信号配線電位の上限が１０Ｖで、透過率若しくは反射率の最大値の約半分の透過率若しくは反射率を示す階調の液晶電圧の絶対値が１.９Ｖ の場合は、薄膜トランジスタのオフ抵抗Ｒoffは、液晶抵抗Ｒl の０.１倍，０.５倍，１倍若しくは、１.５倍が望ましい。
【０１０８】
ここで、第１の実施例における駆動を実行するに当たってその制御方法について説明する。垂直同期信号Ｖsynは１フレーム期間毎に１パルスを発生させる。ゲート駆動信号φgは、ゲート選択期間と同じか若しくは、ゲート選択期間より短いパルスを発生し、垂直同期信号Ｖsyn を起点として信号発信を開始する。
【０１０９】
図１６は本発明の実施例にかかる液晶表示装置における走査配線の制御方法の説明図であり、図１における走査線駆動回路であるゲートドライバ１２６のブロック構成を示す。図１６において、シフトレジスタ１４３には、論理値として‘１’若しくは‘１’の情報にそれぞれ対応する電位が蓄えられている。走査期間において、‘１’の情報はシフトレジスタ１４３のある一個のレジスタのみに存在し、ゲート駆動信号φg のパルスが入るごとに、次のレジスタにシフトする。レジスタの数は液晶パネルがＮ行の走査配線を有する場合には、Ｎ個のレジスタを有する。Ｎ個のレジスタとＮ本の走査配線は、出力アンプ
１４４と接続されており、出力アンプ１４４に接続されているＮ個のレジスタとＮ本の走査配線は、１対１に対応しており、レジスタの状態が‘１’にある場合には、そのレジスタに対応する走査配線の電位を選択電位にし、レジスタの状態が‘０’にある場合には、そのレジスタに対応する走査配線の電位を非選択電位にする。
【０１１０】
この場合のゲート駆動信号φg と‘１’の情報が蓄積されているレジスタの位置の関係を図１７に示す。図１７は本発明の実施例にかかる液晶表示装置の駆動の制御方法の説明図であり、例として液晶パネルが６本の走査配線を有する場合について示されている。選択期間毎にゲート駆動信号φg のパルスが入るごとに、シフトレジスタ１４３内の‘１’の情報は選択する走査配線に対応するレジスタにシフトし、走査を行い、１フレームの始めから数えて７発目のゲート駆動信号φg のパルスによってシフトレジスタ１４３内の
‘１’の情報が無くなる。この時、全走査配線は非選択状態になって保持期間が始まる。
【０１１１】
次の垂直同期信号Ｖsynを起点として、ゲート駆動信号φgの発信が始まり、‘１’の情報が、第１走査配線に対応するレジスタに蓄積され、走査が開始され保持期間が終了する。以上の例は容易にＮ本の走査配線を有する場合に拡張され、Ｎ本の走査配線を走査した後、１フレームの始めから数えてＮ＋１個目のゲート駆動信号φg のパルスによってシフトレジスタ１４３内の‘１’の情報が無くなり、保持期間が始まり、次の垂直同期信号
Ｖsynを起点として、ゲート駆動信号φgの発信が始まり、‘１’の情報が第一走査配線に対応するレジスタに蓄積され、走査が開始される。
【０１１２】
ソース駆動信号φsは垂直同期信号Ｖsynを起点として信号発信を開始する。ソース駆動信号φs のパルスによって、コントロールＩＣ１２９（図１参照）は、ソースドライバ
１２５に１ラインの画素分（本実施例の場合、Ｍ個の画素分）の画像データの転送を開始する。走査期間において、ソースドライバ１２５は、任意の階調データに応じた電位を出力する。走査期間終了後、保持期間における信号配線電位を信号配線に与える方法として次の２例が挙げられる。
【０１１３】
まず、１例目について図１８を用いて説明する。図１８は本発明の実施例にかかる液晶表示装置の保持期間における駆動の制御方法の説明図である。図１８に記載されている
“Ｖ+”，“Ｖ-”は、それぞれ正及び負極性信号配線の保持期間における電位のデータを記録しておくメモリである。コントロールＩＣ１２９が最終走査配線に接続される画素の画像データをソースドライバ１２５に転送した後で、コントロールＩＣ１２９はメモリ
“Ｖ+”，“Ｖ-”を参照し、正極性信号配線にはメモリ“Ｖ+ ”に記録されているデータに対応する電位が、負極性信号配線には、メモリ“Ｖ- ”に記録されているデータに対応する電位が印加されるように、保持期間における全信号配線の電位のデータを作成し、ソース駆動信号φs に基づいて各信号配線に電位を印加する。その直後に、ソース駆動信号
φs を停止し、ソースドライバ１２５は各信号配線に電位を印加している出力アンプ以外の回路を停止する。
【０１１４】
図１９は本発明の実施例にかかる液晶表示装置の保持期間における駆動の制御方法の説明図である。図１９に記載の“Ｖａ+”及び“Ｖａ-”は、それぞれ正及び負極性信号配線の保持期間における電位を生成するための電源である。保持期間電位制御回路１３９は、電源“Ｖａ+”及び“Ｖａ-”と接続され、さらにその配線Ａ１４０と配線Ｂ１４１が選択スイッチ１４２を介して、液晶パネル１２４の奇数列の信号配線，偶数列の信号配線とにそれぞれ接続されている。
【０１１５】
走査期間において、配線Ａ１４０と配線Ｂ１４１は選択スイッチ１４２によって液晶パネル１２４の信号配線から切り離されている。全走査配線を走査し終えた直後に、コントロールＩＣ１２９若しくはゲートドライバ１２６からソースドライバ１２５，選択スイッチ１４２及び保持期間電位制御回路１３９に走査期間から保持期間に移行することを知らせる信号が送られる。これにより、ソースドライバ１２５は駆動を停止し、選択スイッチ１４２は配線Ａ１４０，配線Ｂ１４１と液晶パネル１２４の信号配線をそれぞれ接続し、保持期間電位制御回路１３９は制御を開始する。保持期間電位制御回路１３９は、電源
“Ｖａ+”及び“Ｖａ-”を用いて、正及び負極性信号配線の保持期間における電位を生成し、配線Ａ１４０に接続される信号配線が正極性信号配線である場合は、配線Ａ１４０には、正極性信号配線の保持期間における電位を、配線Ｂ１４１には負極性信号配線の保持期間における電位を印加する。
【０１１６】
配線Ａ１４０に接続される信号配線が負極性信号配線である場合は、配線Ａ１４０には負極性信号配線の保持期間における電位を、配線Ｂ１４１には正極性信号配線の保持期間における電位を印加する。保持期間から走査期間に移行することを知らせる信号が送られてくると、走査期間に移行するために、配線Ａ１４０，配線Ｂ１４１は再び選択スイッチ１４２によって信号配線から切り離され、保持期間電位制御回路１３９は動作を停止する。
【０１１７】
（２）第２の具体例
本発明の実施例における第２の具体例を図２０を用いて駆動方法を説明する。図２０は本発明の実施例における液晶表示装置の他の具体的な駆動方法を説明するタイミング図であり、ｎ行ｍ列番目の画素に接続される信号配線の電位Ｖsigmの正極性フレーム期間と負極性フレーム期間におけるタイミング、第１走査配線の電位から最終走査配線までの電位（Ｖg1〜Ｖgn〜ＶgN）のタイミングを示す。対向電極電位は時間によらず一定でＶcom である。
【０１１８】
前記第１の具体例と同様に、１フレーム期間が走査期間と保持期間に分割されている。各信号配線の駆動は、１フレーム期間毎に正極性フレーム期間と負極性フレーム期間が交互に繰り返されている。信号配線の列毎に、正極性信号配線と負極性信号配線が交互に繰り返されている。第２の具体例における保持期間の駆動方法は、第１の具体例における保持期間の駆動方法と全く同じでる。すなわち、正及び負極性信号配線は、保持期間において、正及び負極性信号配線のそれぞれに応じた最適な電位にする駆動を行う。該保持期間における信号配線電位の値は、第１の具体例に記載されている方法で決定する。以後、第１の具体例に記載されているように、正及び負極性信号配線の保持期間における電位を、それぞれ、Ｖsp及びＶsmとする。
【０１１９】
走査期間の駆動方法についてｎ行ｍ列番目の画素に着目する。ｎ行ｍ列番目の画素の画素電極に、画像データに応じた電位を書き込むために、ｎ行目の走査配線が選択され、該画素に接続される信号配線の電位は該画素の画像データに応じた電位になる。その直後に、全ての走査配線は非選択状態になり、該信号配線の電位を該信号配線が正極性信号配線の場合には、Ｖsp近傍の電位を中心として該全走査配線を非選択状態にする期間の直前の選択期間の信号配線電位と対称的な電位とする。また、該信号配線が負極性信号配線の場合には、Ｖsm近傍の電位を中心として該全走査配線を非選択状態にする期間の直前の選択期間の信号配線電位と対称的な電位とする。
【０１２０】
以上のような選択期間と全走査配線を非選択状態にする期間を繰り返しながら全画素に所望の画像データを走査期間内に書き込む。このとき、前記全走査配線を非選択状態にする期間の長さは限定されるものではないが、選択期間と同程度の長さにすることが好ましい。このような駆動をすることで、正極性信号配線から分岐する非選択状態にある画素には、実効的に正極性信号配線の保持期間における最適な電位を与え、負極性信号配線から分岐する非選択状態にある画素には、実効的に負極性信号配線の保持期間における最適な電位を与えることができる。
【０１２１】
ここで、第２の具体例の駆動における走査配線の制御方法の例について説明する。Ｎ行の走査配線から構成される液晶パネルにおいて、ゲート駆動信号φg はゲート選択期間よりも同じか若しくは短いパルスを発生し、垂直同期信号Ｖsyn を起点として信号発信を開始する。
【０１２２】
図２１を用いて、走査配線の制御の一例を説明する。図２１は本発明に係る液晶表示装置の駆動の制御方法の説明図である。（ａ）がタイミング図で、（ｂ）がゲートドライバ１２６の構成図である。ここで、‘１’及び‘０’のどちらの情報が存在するときでも全走査配線が非選択状態になるレジスタを予備レジスタ２０２と定義する。つまり、この予備レジスタ２０２は、予備レジスタが出力アンプに接続されていないか、若しくは接続されていても予備レジスタの情報によって走査配線が選択状態か非選択状態のどちらの状態にあるかということを制御される走査配線が存在しないということを意味する。図２１において、斜線部がシフトレジスタ内における予備レジスタの位置である。
【０１２３】
シフトレジスタにある‘１’の情報は、ゲート駆動信号φg のパルスが選択期間毎に入るごとに、次のレジスタにシフトする。ゲートドライバ１２６を構成するシフトレジスタのレジスタの数を２Ｎ個にして、図２１のように、一個のレジスタおきに予備のレジスタを配置すると、選択期間と全走査配線が非選択状態になる期間が１つのレジスタおきに繰り返され、第２の具体例に記されるような駆動が容易となる。この時、走査期間から保持期間に移行する方法としては、前記第１の具体例と同様に２Ｎ＋１個目のφg のパルスによってシフトレジスタ１４３内の‘１’の情報が無くなるようにする方法を用いても良いし、‘１’の情報が走査期間の最後に蓄積されている予備レジスタを用いる方法もある。例えば、‘１’の情報が走査期間の最後に蓄積されている予備レジスタに‘１’の情報を任意の期間保つことによって、任意の長さの保持期間を設けることが出来る。次の垂直同期信号Ｖsyn が入力され、ゲート駆動信号φg のパルスが入力されはじめると、‘１’の情報が第１走査配線に対応するレジスタに蓄積され、走査が開始される。
【０１２４】
コントロールＩＣ１２９やソースドライバ１２５等に送る走査期間から保持期間及び保持期間から走査期間に移行することを知らせる信号として、‘１’の情報が走査期間の最後に蓄積される予備レジスタに、‘１’の情報が蓄積されているか否かを用いることも１つの例として考えられる。
【０１２５】
また、もう一つの例を図２２を用いて説明する。図２２は本発明の実施例にかかる液晶表示装置における走査配線の制御方法の説明図である。図２２のように、Ｎ個のレジスタを有するシフトレジスタ１４３の各レジスタと信号φg1の供給源がＮ個の論理積回路145の入力に接続され、Ｎ個の論理積回路１４５の出力と出力アンプ１４４が接続され、出力アンプ１４４の出力に走査配線がそれぞれ接続されている。出力アンプ１４４に接続されているＮ個の論理積回路１４５の出力とＮ本の走査配線は、１対１に対応しており、論理積回路１４５の出力によって、その論理積回路１４５に対応する走査配線の電位を選択電位若しくは非選択電位にする。
【０１２６】
信号φg1は、‘１’及び‘０’の情報を論理積回路１４５に供給する。この例では、レジスタ及び信号φg1の状態がともに‘１’の状態にあるときには、論理積回路１４５は出力アンプ１４４に該論理積回路に対応する走査配線が選択状態になる信号を出力する。つまり、ｎ行目の走査配線は、ｎ行目の走査配線に対応するレジスタ及び信号φg1の状態がともに‘１’の状態にある期間は選択状態にある。レジスタ及び信号φg1の状態がそれ以外の場合は、論理積回路１４５は出力アンプ１４４に該論理積回路に対応する信号配線が非選択状態になる信号を出力する。つまり、ｎ行目の走査配線はｎ行目の走査配線に対応するレジスタ及び信号φg1の状態がどちらか一方でも‘１’以外の状態にある期間は非選択状態にある。
【０１２７】
これを図２３を用いて具体的に説明する。図２３は本発明の実施例にかかる液晶表示装置における走査配線の制御方法の説明図である。例えば、図２３に示したように、ゲート駆動信号φg と信号φg1を与えることで、前記具体例と同様の駆動を容易に実現できる。信号φg1において電位が高い状態にあるときが、信号φg1の‘１’の状態で、低い時が信号φg1の‘０’の状態である。
【０１２８】
図２４は本発明の実施例にかかる液晶表示装置の駆動の制御方法の説明図である。図
２４を用いて走査期間のソースドライバ１２５へのデータの転送を説明する。図２４において、演算回路１４７は、入力される階調データを演算し、選択期間の直後に全走査配線を非選択状態にしたときに信号配線に印加される電位に対応するデータを出力する。メモリ１４８は演算回路１４７から入力されるデータを蓄積する。画像データ転送制御手段
１４６は、送信されてくる階調データと前記メモリ１４８に蓄積されているデータを交互にソースドライバ１２５に転送する。以上のような駆動を行うことで、フレーム期間が１／６０秒に比べて長い場合においても、ちらつきの無い良好な高品質の表示特性が得られる。
【０１２９】
（３）第３の具体例
本発明の実施例における駆動方法の第３の具体例を図２５および図２６を用いて説明する。図２５は本発明の実施例にかかる液晶表示装置の駆動方法を説明するタイミング図であり、正極性フレーム期間と負極性フレーム期間における各駆動信号のタイミングを示す。また、図２６は本発明の実施例にかかる液晶表示装置の駆動方法を説明するタイミング図であり、正極性フレーム期間と負極性フレーム期間における各駆動信号のタイミングを示す。
【０１３０】
すなわち、図２５と図２６はｎ行ｍ列番目の画素に接続される信号配線の電位Ｖsigmの正極性フレーム期間と負極性フレーム期間におけるタイミング、第１走査配線の電位から最終走査配線までの電位（Ｖg1〜Ｖgn〜ＶgN）のタイミングを示し、対向電極電位は時間によらず一定でＶcomである。
【０１３１】
前記具体例と同様に、１フレーム期間が走査期間と保持期間に分割されている。各信号配線の駆動は、１フレーム期間毎に正極性フレーム期間と負極性フレーム期間が交互に繰り返されている。信号配線の列毎に、正極性信号配線と負極性信号配線が交互に繰り返されている。第３の具体例における保持期間の駆動方法は、第１の具体例における保持期間の駆動方法と全く同じで、正及び負極性信号配線は、保持期間において、正及び負極性信号配線のそれぞれに応じた最適な電位にする駆動を行う。該保持期間における信号配線電位の値は、第１の具体例に記載されている方法で決定する。
【０１３２】
走査期間の駆動方法について図２５及び図２６のタイミング図を用いて説明する。走査配線を選択状態に、信号配線電位を所望の画像データを書き込むための電位にして、画像データを画素に書き込むという駆動をｋ（ｋは２以上、Ｎ以下の整数）本の走査配線に対して行う。その直後、全走査配線を非選択状態にし、全走査配線を非選択状態にしている間、該信号配線が正極性信号配線である場合は、Ｖsp近傍の電位を中心として、該信号配線が負極性信号配線である場合は、Ｖsm近傍の電位を中心として、該ｋ本の走査配線を走査した期間中におけるｋ個の画像データに対応したそれぞれｋ個の信号配線電位と対称的なそれぞれｋ個の電位を、図２５のタイミングチャートに示される様に、選択期間の長さ毎に、該信号配線に印加する。若しくは、該ｋ個の画像データに対応したｋ個の信号配線電位の平均値と対称的な電位を、図２６のタイミングチャートに示される様に、該信号配線に印加するという駆動をｋ本の走査配線毎に繰り返しながら、全画素に所望の画像データを走査期間内に書き込む。前記全走査配線を非選択状態にする期間の長さは限定されるものではないが、該ｋ本の走査配線を走査した期間と同じ長さにすることが好ましい。また、図２５のように、前記ｋ個の電位を該信号配線に印加するとき、それぞれの１個の電位を印加している期間の長さは限定されるものではないが、選択期間の長さ毎に、該ｋ個の電位を該信号配線に印加するのが望ましい。
【０１３３】
このような駆動をすることで、正極性信号配線から分岐する非選択状態にある画素には、実効的に正極性信号配線の保持期間における最適な電位を与え、負極性信号配線から分岐する非選択状態にある画素には、実効的に負極性信号配線の保持期間における最適な電位を与えることができる。
【０１３４】
走査配線の制御方法としては、第２の具体例で説明したように、シフトレジスタ１４３を構成するレジスタの中に、予備のレジスタを適当に配置するか、若しくは、前述された図２２に示されるゲートドライバ１２６の構成において信号φg 及び信号φg1を適当に与えることで制御することができる。
【０１３５】
走査期間のソースドライバ１２５へのデータの転送は、図２４のブロック図において、演算回路１４７で全走査配線が非選択時のデータを演算し、メモリ１４８に蓄え、画像データ転送制御手段１４６によって選択期間に合わせて、送信されてくる階調データをソースドライバ１２５に転送し、全走査配線が非選択にある期間に合わせて、前記メモリ148に蓄積されている所望のデータをソースドライバ１２５に転送する。
【０１３６】
第１から第３の具体例における信号配線電位Ｖsp及びＶsmを決定する方法についてさらに詳しく説明する。Ｖspを最終走査配線若しくはその走査配線の近傍の走査配線に接続される画素の正極性フレーム期間における中間調の反射率変動が最も小さくなる電位とし、Ｖsmを最終走査配線若しくはその走査配線の近傍の走査配線に接続される画素の負極性フレーム期間における中間調の反射率変動が最も小さくなる電位とする。
【０１３７】
また、式１０をみると、正極性信号配線の保持期間における最適な電位Ｖspと対向電極電位Ｖcomとの差Ｖsp−Ｖcomは、液晶電圧の絶対値ＶP よりも大きな値となっている。液晶電圧の絶対値がＶP である正極性の液晶電圧を保持している画素のリーク電流による液晶電圧変動を抑えようとした場合に、保持期間の正極性信号配線電位を和Ｖcom＋ＶPより大きな値とすることで、最適な電位Ｖspに該信号配線電位は近い値となりリーク電流による液晶電圧変動を抑制する。また、他の反射率を表示している場合におけるリーク電流による液晶電圧変動の抑制を考えた場合にも、保持期間の正極性信号配線電位を和Ｖcom＋ＶP より大きな値とした方が良い。ここで、保持期間におけるフリッカの大きさの評価方法を、図３２を用いて説明する。図３２（ａ）は、本測定に使用したノーマリーホワイト表示方式反射型液晶パネルの反射率の液晶電圧依存性である。図３２（ｂ）は、反射率
２５％（対応する液晶電圧は２.３２Ｖ ）で測定したフレーム応答である。測定において、１フレーム期間は約６６.６ｍｓで走査期間は約１６.６ｍｓである。横軸は時間(ｍｓ)で０ｍｓがフレーム開始時で約６６.６ｍｓ がフレーム終了時である。縦軸は１フレーム期間の反射率の平均値で各時刻の反射率を規格化した規格化反射率を示す。保持期間のフリッカの大きさの評価をするために、図３２（ｂ）から保持期間の部分（１６.６ｍｓ から６６.６ｍｓ の間）を抜き出す。それに該当する図が図３２（ｃ）である。該図中の細線は測定データを表し、太線は測定データの１次式による近似直線である。保持期間の大きさを表す量として、この近似直線の傾きを用いる。該傾きは、単位時間当りにどれだけ規格化反射率が変化するかを示す量である。つまり、該傾きが大きいほどフリッカが大きいということである。図３３に、該傾きの保持期間の信号配線電位に対する依存性に関するグラフを示す。データ測定時には、保持期間における正極性信号配線電位と対向電極電位の差の絶対値と負極性信号配線電位と対向電極電位の差の絶対値が等しくなるように駆動した。縦軸は、該傾きである。横軸は、保持期間における信号配線電位と対向電極電位の差の絶対値（Ｖ）である。三角印は、反射率２５％（対応する液晶電圧は２.３２Ｖ ）の場合の測定データで実線はその近似直線である。四角印は、反射率７４％（対応する液晶電圧は１.６９Ｖ ）の場合の測定データで破線はその近似直線である。
【０１３８】
図３３より、反射率２５％のフレーム応答の保持期間におけるフリッカの方が反射率
７４％の場合よりも大きい。また、保持期間におけるフリッカの信号配線電位に対する依存性も反射率２５％の場合の方が顕著である。つまり、表示に使用する正極性液晶電圧の範囲において、液晶電圧の絶対値がＶP である正極性液晶電圧から液晶電圧の絶対値が略最大となる正極性液晶電圧までの電圧範囲（電圧範囲２とする）に対応する反射率を表示している場合の方が、液晶電圧の絶対値が略最小となる正極性液晶電圧から液晶電圧の絶対値がＶP である正極性液晶電圧までの電圧範囲（電圧範囲１）に対応する反射率を表示している場合よりも、保持期間におけるフリッカが大きく、信号配線電位にも大きく依存するということである。したがって、電圧範囲１に対応する反射率を表示している場合のフリッカは元々小さく該信号配線電位にあまり依存しないので、電圧範囲２に対応する反射率を表示している場合を抑制するように該信号配線電位を設定したほうが、全ての反射率においてフリッカ強度を検知限以下にすることが容易になる。保持期間の正極性信号配線電位を和Ｖcom＋ＶPより大きな値とした方が、小さな値とする場合よりも、電圧範囲２に対応する反射率を表示している場合における液晶電圧変動をより抑制できる。
【０１３９】
したがって、保持期間において該正極性信号配線電位を、和Ｖcom＋ＶPより大きな値とすることで、液晶電圧の絶対値がＶP である正極性の液晶電圧を保持している画素に対して、リーク電流による液晶電圧の変動を抑制する効果が働き、さらに、電圧範囲２に対応する反射率を表示している画素の液晶電圧変動をより良く抑制できるので、全ての反射率においてフリッカ強度を検知限以下にすることができる。
【０１４０】
また、正極性フレームにおいて、表示に使用する液晶電圧の範囲において、前記液晶電圧の変化に対して液晶表示パネルの透過率や反射率の変化が最も大きい正極性の液晶電圧の絶対値Ｖ0Pは、一般的なアクティブマトリックス型液晶表示装置の場合、前記液晶電圧の絶対値ＶP 近傍の値となる。具体的には、前記Ｖ0Pは概ねＶP±０.３［Ｖ］の範囲にある。そのため、最もフリッカを抑制したい画像データに対応した液晶電圧はＶP±０.３
［Ｖ］の範囲にあるので、保持期間において該正極性信号配線電位を、電位Ｖcom＋ＶP−０.３［Ｖ］より大きな値にすることもある。
【０１４１】
同様なことは、式１１と実験から負極性信号配線の保持期間の電位についても言える。つまり、保持期間において該負極性信号配線電位を、差Ｖcom−Ｖmより小さな値とすることで、液晶電圧の絶対値がＶm である負極性の液晶電圧を保持している画素に対して、リーク電流による液晶電圧の変動を抑制する効果が働き、且つ、表示に使用する負極性液晶電圧の範囲において、液晶電圧の絶対値がＶm である負極性液晶電圧から液晶電圧の絶対値が略最大となる負極性液晶電圧までの電圧範囲に対応する反射率を表示している画素の液晶電圧変動をより良く抑制できるので、全ての反射率においてリーク電流を抑制しフリッカ強度を検知限以下にすることができる。また、保持期間において該負極性信号配線電位を、電位Ｖcom−Ｖm＋０.３［Ｖ］より小さな値にすることもある。
【０１４２】
また、表示に使用する液晶電圧の範囲において、透過率や反射率の最大値の約半分の透過率や反射率を示す階調Ｋ50に対応する正極性信号配線電位をＶsp50とし、負極性信号配線電位をＶsm50とし、ΔＶft≡（Ｖsp50＋Ｖsm50）／２−Ｖcom とした場合に、保持期間において該正極性信号配線電位を、電位Ｖsp50−ΔＶftより大きな値とし、該負極性信号配線電位を、電位Ｖsm50−ΔＶftより小さな値とすることで、リーク電流による液晶電圧の変動を抑制する効果が働きフリッカ強度を検知限以下にすることができる。また、さらに簡便には、ΔＶftは、一般に０.５Ｖ 以下であるので、ΔＶft〜０として、保持期間における該正極性信号配線電位を、電位Ｖsp50より大きな値とし、該負極性信号配線電位を、電位Ｖsm50より小さな値としても良い。
【０１４３】
図３１を用いて説明する。図３１はｍ列目の信号配線から分岐しているｎ行目の画素が階調Ｋ50の表示をしている場合のｍ列目の信号配線電位とｎ行目の走査配線電位と該画素の電位（太線で示す）のタイミング図で正極性フレーム期間と負極性フレーム期間の該画素の選択期間に着目して描かれた図である。図３１より、選択期間にある画素の画素電極電位は信号配線電位に殆ど等しいが、該画素の選択期間直後の電位は、様々な影響（主な影響は、ｎ行目の走査配線電位の立下り時に画素電極と走査配線間の寄生容量Ｃgs２０１の容量結合により該画素電極電位が降下する影響である。その他には不純物イオンなどの影響がある。）により、選択期間の信号配線電位より該画素電極電位がΔＶft0 だけ降下する。この電圧降下ΔＶft0 による正極性フレーム期間と負極性フレーム期間それぞれの選択期間直後の液晶電圧の絶対値の非対称性を補償するために、一般的に、正極性信号配線電位Ｖsp50と負極性信号配線電位Ｖsm50の中間電位（Ｖsp50＋Ｖsm50）／２と対向電極電位を異なる値として正負の非対称性を小さくする。ΔＶft≒ΔＶft0 となったときに非対称性が略最小になる。また、厳密にΔＶft＝ΔＶft0 が成り立つように設定しなくても、ΔＶft＞０ならば、電圧降下ΔＶft0 を補正している。そのため、液晶表示装置においてΔＶft≒ΔＶft0となっていると考えてよい。したがって、電圧の絶対値｜Ｖsp50−
ΔＶft−Ｖcom｜は、略電圧値ＶP と等しく、電圧の絶対値｜Ｖsm50−ΔＶft−Ｖcom｜は略電圧値Ｖm となるので、保持期間における正極性信号配線電位を、電位Ｖsp50−ΔＶftより大きな値とし、負極性信号配線電位を、電位Ｖsm50−ΔＶftより小さな値とすることで、リーク電流による液晶電圧の変動を抑制する効果が働きフリッカ強度を検知限以下にすることができる。また、簡便に、ΔＶft〜０として、保持期間における該正極性信号配線電位を、電位Ｖsp50より大きな値とし、該負極性信号配線電位を、電位Ｖsm50より小さな値としても良い。
【０１４４】
また、液晶電圧Ｖp，Ｖmを保持しているそれぞれの画素に対して、正極性信号配線の場合には、対向電極電位と前記電位ＶP の和Ｖcom＋ＶPより大きい値を中心として、該信号配線電位を振動するように駆動し、負極性信号配線の電位には、対向電極電位と前記電位Ｖm の差Ｖcom−Ｖmより小さい値を中心として、該信号配線電位を振動するように駆動することによっても、リーク電流を抑制する効果が働く。
【０１４５】
また、保持期間における正極性信号配線電位を、電位Ｖsp50−ΔＶftより大きな値を中心として、該信号配線電位を振動するように駆動し、負極性信号配線電位を、電位Ｖsm50−ΔＶftより小さな値を中心として、該信号配線電位を振動するように駆動することによってもリーク電流による液晶電圧の変動を抑制する効果が働く。また、簡便に、ΔＶft〜０として、電位Ｖsp50より大きな値を中心として、該信号配線電位を振動するように駆動し、負極性信号配線電位を、電位Ｖsm50より小さな値を中心として、その信号配線電位を振動するように駆動してもよい。
【０１４６】
この時、正極性フレーム及び負極性フレーム期間における中間調の反射率変動が最も小さくなる信号配線電位を決定する際に、第１の具体例で説明した式（１）及び式（１０）と式（１１）を用いて正及び負極性フレーム期間における透過率若しくは反射率の最大値の約半分の透過率若しくは反射率を示す階調の反射率変動が最も小さくなる信号配線電位の大体の目安をつける。以上のような駆動を行うことで、フレーム期間が１／６０秒に比べて長い場合においても、ちらつきの無い良好な高品質の表示が得られる。
【０１４７】
（４）第４の具体例
本発明の実施例における第４の具体例について説明する。ここで、図２７に寄生容量に関して詳しく記したｎ行ｍ列目の画素の回路図を示す。信号配線電位Ｖsigm，Ｖsigm+1の電位変動は寄生容量Ｃsd1１１０Ａ，Ｃsd2１１０Ｂを介して画素電極の電位変動を起こす。ΔＶsigm，ΔＶsigm+1をｍ及びｍ＋１列目の信号配線電位の変動量とすると、Ｃtot を画素電極に接続される全ての容量とし（図２７では、Ｃtot＝Ｃl＋Ｃstg＋Ｃsd1＋Ｃsd2＋Ｃgs）、α1，α2をα1＝Ｃsd1／Ｃtot，α2＝Ｃsd2／Ｃtotとした場合に、該画素の液晶電圧変動量ΔＶlcは、次式（１７）で与えられる。
（数１７）
ΔＶlc＝α1ΔＶsigm＋α2ΔＶsigm+1                                …（１７）
フレームの切り替え時に、正極性信号配線は保持期間の一定電位Ｖsp1から次のフレームの走査期間における負極性の液晶電圧を印加するための電位に、負極性信号配線は保持期間の一定電位Ｖsm1から正極性の液晶電圧を印加するための電位に変動するために、α1とα2 の大きさが異なると、該画素の液晶電圧は走査期間において該画素が信号配線から受ける液晶電圧変動の数倍の液晶電圧変動を、フレーム切り替え時に起こす。そのために、フレーム切り替え前の該画素の液晶電圧の実効値とフレーム切り替え後の走査期間における該画素の実効値が異なってしまいフリッカが発生する。
【０１４８】
信号配線の電位変動が寄生容量Ｃsd1１１０Ａ，Ｃsd2１１０Ｂを介して画素電極に及ぼす影響に着目して、ｎ行ｍ列目の画素に接続されるｍ列目の信号配線電位Ｖsigmのタイミングチャートとそれに伴う該画素の画素電極電位の変動とｎ行目の走査配線電位Ｖgnのタイミングチャートを図２８に示す。１フレーム期間Ｔは走査期間Ｔ１と保持期間Ｔhld に分割されている。水平期間は記号Ｔh で表される期間である。図示される最初のフレーム期間は、正極性フレーム期間で次のフレーム期間は負極性フレーム期間である。該画素に隣接する画素は、該画素とはそれぞれのフレーム期間において逆極性のフレーム期間にある。
【０１４９】
ｎ行目の画素が選択され、画像データが該画素に印加される。該画素の選択終了後、走査配線電位の立下り時に、画素電極と走査配線間の寄生容量Ｃgs２０１により画素電極電位も下がる。走査配線電位の立下りに起因する電位変動量は全ての走査配線で同じ量なので、対向電極電位Ｖcom を調整することでこの走査配線の立下りの影響は無くすことができる。実際の表示に寄与する画素電極電位は、選択期間終了後の画素電極電位Ｖfst である。静止画を表示している際に、電位Ｖfst と該画素の該選択期間の次の選択期間の直前の画素電極電位Ｖlst との電位差が大きいと、選択期間の前後で該画素の液晶電圧の実行値が異なるために検知限以上のフリッカが発生する。
【０１５０】
本具体例では、保持期間には、リーク電流による画素電極の電位変動を抑制する電位
Ｖsp1が正極性信号配線に、Ｖsm1が負極性信号配線に印加されているので、保持期間における画素電極電位の変動は殆ど無いと考えられる。したがって、本具体例においては、容量結合（式（１７）で、その量が表される）によって、フレーム切り替え時に起こる画素電極の電位変動を抑制することが課題である（本具体例では対向電極電位は一定であるので、式（１７）の液晶電圧変動は画素電極電位変動に等しい）。走査期間における信号配線電位の変動の振幅は、正極性フレーム期間と負極性フレーム期間において反射率の液晶電圧依存性が変わらない場合に（一般的に変わらない。）図１４から、表示に使用する液晶電圧の実効値の範囲は概ね１Ｖから３.２Ｖで、高々２.２Ｖである。しかしながら、正極性フレーム期間と負極性フレーム期間の切り替わり時Ｐ１においては、画像データにも依存するが、｜Ｖsp1−Ｖcom｜，｜Ｖsm1−Ｖcom｜が約３Ｖの場合に、信号配線は最大で約６.２Ｖ 変動する。したがって、走査期間に比べてフレーム期間の切り替わり時Ｐ１に、大きな画素電極電位変動が起る。α1とα2の設計にも依るが、殆どの場合、このフレーム切り替わり時の画素電極電位変動のために、フレーム切り替わりの前後で液晶に印加される電圧の実効値が異なる。そのために走査期間に検知限以上のフリッカが発生することもある。また、液晶電圧３.２Ｖ に対応する画像を表示している場合のほうが、液晶電圧１Ｖに対応する画像を表示している場合よりも、フレーム切り替え時Ｐ１の信号配線電位の変動が大きく、フリッカも大きくなる。つまり、表示に対応する液晶電圧が大きければ大きい程（ノーマリーブラック表示ならば白くなる程、ノーマリーホワイト表示ならば黒くなる程)、フリッカが大きくなる。フレーム切り替わり時の画素電極電位変動をΔＶlp1とする。
【０１５１】
この課題を解決する１つの方法は、｜Ｖsp1−Ｖcom｜＝｜Ｖsm1−Ｖcom｜を満たすようにＶsp1とＶsm1を設定することである。正極性及び負極性における保持期間のリーク電流を抑制するのに最適な信号配線電位は、式（１０）と式（１１）で、それぞれ与えられる。式（１０）及び式（１１）内に記載のＶp及びＶmの値は、一般的に、殆ど同じ値であり、｜Ｖsp1−Ｖcom｜＝｜Ｖsm1−Ｖcom｜を満たすようにＶsp1とＶsm1を設定してもリーク電流を十分に抑制できる。
【０１５２】
フレーム切り替え時に、正極性及び負極性信号配線の電位は、ともに殆どの場合、対向電極電位を横切って（表示方式がノーマリーブラックの場合は低階調表示時、ノーマリーホワイトの場合は高階調表示時に対向電極電位を横切らない場合があることがある。）、次のフレームの画像データに対応する電位になる。｜Ｖsp1−Ｖcom｜＝｜Ｖsm1−Ｖcom｜とした場合に、フレーム切り替え時に正極性信号配線電位が、Ｖsp1からＶcomに電位変動し、負極性信号配線電位が、Ｖsm1からＶcomに電位変動した分の液晶電圧への影響を抑制することができる。Ｅｐ＝｜Ｖsp1−Ｖcom｜，Ｅｍ＝｜Ｖsm1−Ｖcom｜とした場合に、
Ｖsp1＝Ｖcom＋Ｅｐ，Ｖsm1＝Ｖcom−Ｅｍと表示できる。フレーム切り替え時に正極性信号配線電位が、Ｖsp1からＶcomに電位変動し、負極性信号配線電位が、Ｖsm1からＶcomに電位変動したときの正極性の液晶電圧を保持している画素の液晶電圧変動は、式（１７）より、α1（Ｖcom−Ｖsp1）＋α2（Ｖcom−Ｖsm1）＝−α1Ｅｐ＋α2Ｅｍとなる。負極性の液晶電圧を保持している画素の液晶電圧変動は、式（１７）より、α1(Ｖcom−Ｖsm1)＋α2（Ｖcom−Ｖsp1）＝α1Ｅｍ−α2Ｅｐ となる。これら、正極性および負極性、両方の画素の液晶電圧の変動を抑制するためには、Ｅｐ＝Ｅｍとすることが好ましく、さらにこのとき、この式はα1（Ｖcom−Ｖsp1）＋α2（Ｖcom−Ｖsm1）＝（α2−α1）Ｅｐとなるので寄生容量をＣsd1＝Ｃsd2とすることで液晶電圧変動を全くなくすことができる。
【０１５３】
また、フレーム切り替え時に、正極性及び負極性信号配線の電位は、殆どの場合、信号配線中心電位Ｖcen を横切って、次のフレームの画像データに対応する電位になる。したがって、正極性信号配線の保持期間の一定電位と負極性信号配線の保持期間の一定電位を、正極性信号配線の電位と信号配線中心電位の電位差の絶対値と負極性信号配線の電位と信号配線中心電位の電位差の絶対値が略等しくなるようにすることで、フレーム切り替え時に、正極性信号配線電位が、Ｖsp1からＶcenに電位変動し、負極性信号配線電位が、
Ｖsm1からＶcenに電位変動した分の液晶電圧への影響を抑制することができる。さらにこのとき、寄生容量をＣsd1＝Ｃsd2とすることで液晶電圧変動を全くなくすことができる。
【０１５４】
信号配線中心電位Ｖcenと対向電極電位Ｖcom 間の任意の電位をＶarbとし、正極性信号配線の保持期間の一定電位と負極性信号配線の保持期間の一定電位を、正極性信号配線の電位と電位Ｖarbの電位差の絶対値と負極性信号配線の電位と電位Ｖarbの電位差の絶対値が略等しくなるようにすることで、フレーム切り替え時の液晶電圧への影響を抑制することができる。さらにこのとき、寄生容量をＣsd1＝Ｃsd2とすることで液晶電圧変動をより削減することができる。
【０１５５】
また、本具体例の前記課題を解決するための他の方法は、走査期間の液晶電圧の実効値が該走査期間の前のフレーム期間の保持期間の実効値と等しくなるような駆動をすることである。そのために、例えば、フレームの走査期間のある水平期間において、信号配線の電位を、所望の画像データ電位に対応した電位にする期間Ｔwtの他に、任意の電位にする期間Ｔe を設けることが考えられる。このとき、その水平期間の実効値は、期間Ｔwtと期間Ｔeにおけるそれぞれの実効値の和で表されるので、期間Ｔeにおける実効値をフレーム切り替わり時の画素電極電位変動ΔＶlp1 を補正するように制御することでフリッカを抑制することができる。特に、液晶電圧が大きい場合の表示において本具体例で問題とするフリッカは大きくなる。説明を簡単化するために、信号配線電位の最大値をＶsmax、最小値をＶsminとし、フレーム切り替え時に信号配線の電位変動が最も大きな場合を考え、正極性信号配線の電位がＶsmaxで、負極性信号配線の電位がＶsminである画像データを液晶パネル全面に表示している場合を考える。この場合に、該期間Ｔe において、正極性信号配線の場合に、該信号配線電位を電位Ｖsmaxより小さな電位に、負極性信号配線の場合に、該信号配線電位を電位Ｖsminより大きな電位にすることでフリッカを抑制する効果が得られる。つまり、該期間Ｔe において、信号配線電位を表示に使用する範囲の任意の電位にすることでフリッカを抑制する効果が得られる。
【０１５６】
本具体例では、α1＞α2を仮定する。このとき、期間Ｔe を設けない図２８に示される駆動をした場合のフレーム切り替え時の前後の実効値の差は、フレーム切り替え時の画素電極電位変動ΔＶlp1 に等しい。フレーム切り替え後の実行値は、フレーム切り替えの直前の該画素の液晶電圧をＶp1とすると、（Ｖp1は正極性フレーム期間の液晶電圧なのでフレーム切り替えの直前の該画素の液晶電圧の実効値と等しい。）Ｖp1＋α1（Ｖsmin−
Ｖsp1）＋α2(Ｖsmax−Ｖsm1)で与えられる。便宜上、Ｖpb≡Ｖp1＋α1(Ｖsmin−Ｖsp1)＋α2(Ｖsmax−Ｖsm1)とＶpbを定義する。また、最大値Ｖsmax ，最小値Ｖsmin は、本具体例においては同じ階調を表示するための信号配線電位なので、｜Ｖsmax−Ｖcom｜≒
｜Ｖsmin−Ｖcom｜が成り立ち、また｜Ｖsp1−Ｖcom｜≒｜Ｖsm1−Ｖcom｜ が成り立つと仮定すると、α1＞α2よりＶpb＜Ｖp1である。
【０１５７】
期間Ｔe において、正極性信号配線と負極性信号配線を短絡して、実効値の差を補正することが考えられる。図２９を用いて説明する。図２９の例では、各水平期間を期間Ｔeと期間Ｔwtに分割している。フレーム切り替わり時Ｐ１において、正極性信号配線と負極性信号配線を短絡することによって、信号配線電位は短絡した信号配線全ての電位の平均値になる。図２９は、隣接する２本の信号配線を短絡した場合を考えている。この場合には、信号配線電位は（Ｖsp1＋Ｖsm1）／２になる。フレーム切り替わり時Ｐ１直後の期間Ｔe の間は、液晶電圧は、Ｖp1＋（α2−α1）(Ｖsp1−Ｖsm1)／２で与えられる。該期間Ｔe の直後の期間Ｔwtにおいて、液晶電圧は、Ｖpbで与えられる。該期間Ｔwtの後においては、期間Ｔe の間は、液晶電圧は、Ｖpb＋（α1−α2）（Ｖsmax−Ｖsmin）／２で与えられ、期間Ｔwtにおいて、液晶電圧は、Ｖpbで与えられる。上記仮定を考慮すると、Ｖpb＜Ｖpb＋（α1−α2）（Ｖsmax−Ｖsmin）／２＜Ｖp1となる。期間Ｔe に短絡する場合は、走査期間の実効値が期間Ｔe を設けない場合の実効値ＶpbよりＶp1に近い値になるので、フレーム切り替わりの前後で液晶に印加される電圧の実効値が異なることを軽減している。また、期間Ｔeにおける各信号配線の電位を短絡することによって作っているので、電位作成に要する電力が要らない。低消費電力でフリッカを抑制できる。
【０１５８】
また、該期間Ｔe において正極性信号配線と負極性信号配線と対向電極と容量配線とを短絡することで、フレーム切り替わりの前後で液晶に印加される電圧の実効値が異なることを軽減することもできる。正極性信号配線と負極性信号配線と対向電極と容量配線とを短絡した場合、信号配線電位が該期間Ｔe において常に対向電極電位になる。第２走査配線の選択期間に対応する水平期間以降の水平期間における該期間Ｔe において、液晶電圧は、Ｖpb＋α1（Ｖcom−Ｖsmin）＋α2（Ｖcom−Ｖsmax）で与えられ、期間Ｔwtにおいて、液晶電圧は、Ｖpbで与えられる。仮定｜Ｖsmax−Ｖcom｜≒｜Ｖsmin−Ｖcom｜，α1 ＞α2より、Ｖpb＜Ｖpb＋α1（Ｖcom−Ｖsmin）＋α2（Ｖcom−Ｖsmax）＜Ｖp1 となる。走査期間の実効値が期間Ｔe を設けない場合の実効値ＶpbよりＶp1に近い値になるので、フレーム切り替わりの前後で液晶に印加される電圧の実効値が異なることを軽減している。また、期間Ｔe における各信号配線の電位を短絡することによって作っているので、低消費電力でフリッカを抑制できる。また、正極性信号配線と負極性信号配線と対向電極のみを短絡しても、正極性信号配線と負極性信号配線と容量配線のみを短絡する場合でも同様の効果は得られる。
【０１５９】
さらに、該期間Ｔe において、該信号配線が正極性信号配線の場合は該信号配線電位を対向電極電位以下の電位とし、該信号配線が負極性信号配線の場合は該信号配線電位を対向電極電位以上の電位とする。該期間Ｔe において信号配線が正極性信号配線の場合は、フレーム切り替え前は負極性信号配線であるため、フレーム切り替え時に、該信号配線は、電位Ｖsm1 から正極性の画像データに対応した電位に変動する。負極性信号配線の場合は、フレーム切り替え前は正極性信号配線であるため、フレーム切り替え時に、該信号配線は、電位Ｖsp1 から負極性の画像データに対応した電位に変動する。したがって、上述したように、走査期間において、フレーム切り替え時に各信号配線電位が変動する方向と逆の方向に各信号配線電位を変動させることで、フレーム切り替わり時に起る液晶電圧の変動による影響を補償している。
【０１６０】
また、該期間Ｔe において、正極性信号配線に印加する電位と対向電極電位の差の絶対値と負極性信号配線に印加する電位と対向電極電位の差の絶対値が大きく異なる場合には、式（１７）より、正極性信号配線と負極性信号配線は列毎に交互に配置されているので、ある画素に対しては、フレーム切り替え時の影響を補償する効果が有効に働くが、該画素の隣接画素に対して該効果が有効に働かない場合がある。よって、該期間Ｔe における正極性信号配線に印加する電位と対向電極電位の差の絶対値と負極性信号配線に印加する電位と対向電極電位の差の絶対値が概ね等しいことが望ましい。また、信号配線中心電位Ｖcenと対向電極電位Ｖcom間の任意の電位をＶarbとし、該期間Ｔeにおける正極性信号配線に印加する電位と電位Ｖarbの差の絶対値と負極性信号配線に印加する電位と電位Ｖarbの差の絶対値を概ね等しくしても良い。
【０１６１】
また、該期間Ｔe において、該信号配線が正極性信号配線の場合は該信号配線電位を負極性信号配線の保持期間の電位とし、該信号配線が負極性信号配線の場合は該信号配線電位を正極性信号配線の保持期間の電位とすることでフレーム切り替わり時に起る液晶電圧の変動による影響を補償し、且つ、最終走査配線近傍の画素の走査期間におけるＴＦＴ及び液晶のリーク電流による画素電極電位変動を抑制することができる。また、保持期間の電位を使用することで、該期間Ｔe に、信号配線に印加するための電位を生成する回路を液晶表示装置に作らないで済み、回路規模の増大を防いでいる。
【０１６２】
また、該期間Ｔe において、該信号配線が正極性信号配線の場合には、該信号配線の電位を表示に使用する信号配線電位の最小電位とし、該信号配線が負極性信号配線の場合には、該信号配線の電位を表示に使用する信号配線電位の最大電位とすることでフレーム切り替わり時に起る液晶電圧の変動による影響を補償しながら、該期間Ｔe を短くすることができる。したがって、画素に画像データを書き込む時間を長くとれＴＦＴやソースドライバの性能に対する要求を低くできる。
【０１６３】
（５）第５の具体例
本発明の実施例における第５の具体例について説明する。本具体例においても、容量結合によって、フレーム切り替え時に起る画素電極の電位変動を抑制することが課題である。フレーム切り替わり時に起る液晶電圧の変動による影響を最も受けるのは、最終走査配線付近の走査配線に接続される画素である。特に、これらの画素に対してフレーム切り替わり時に起る液晶電圧の変動による影響を軽減する方法は、走査期間において、走査配線電位を選択電位に、信号配線電位を所望の画像データを書き込むための電位にして、所望の画像データに対応する電位を画素電極に書き込むという駆動を行う期間Ｔwaの他に、全走査配線を非選択状態にし、該信号配線の電位を任意の一定電位にする期間Ｔeaを最終走査配線付近の走査配線に接続される画素に画像データが書き込まれる前に設けることで、当該画素の液晶層に印加される液晶電圧の実効値は、期間Ｔwaと期間Ｔeaの和で表されるので、期間Ｔeaにおける実効値をフレーム切り替わり時に起る液晶電圧の変動による影響を補償するように制御することでフリッカを抑制できる。
【０１６４】
また、特に液晶電圧が大きい場合の表示において本具体例で問題とするフリッカは大きくなる。説明を簡単化するために、信号配線電位の最大値をＶsmax、最小値をＶsminとし、フレーム切り替え時に信号配線の電位変動が最も大きな場合を考え、正極性信号配線の電位がＶsmaxで、負極性信号配線の電位がＶsminである画像データを液晶パネル全面に表示している場合を考える。この場合に、該期間Ｔeaにおいて、正極性信号配線の場合に、該信号配線電位を電位Ｖsmaxより小さな電位に、負極性信号配線の場合に、該信号配線電位を電位Ｖsminより大きな電位にすることでフリッカを抑制する効果が得られる。つまり、該期間Ｔeaにおいて、信号配線電位を表示に使用する範囲の任意の電位にすることでフリッカを抑制する効果が得られる。
【０１６５】
また、期間Ｔeaにおいて、全走査配線を非選択状態にし、信号配線が正極性信号配線の場合には、該信号配線を対向電極電位以下の電位とし、信号配線が負極性信号配線の場合には、該信号配線を対向電極電位以上の電位とすることでフリッカを抑制することができる。
【０１６６】
図３０を用いて説明する。説明を簡単化するために、図２９を説明した時の仮定と同じ仮定（｜Ｖsmax−Ｖcom｜≒｜Ｖsmin−Ｖcom｜，｜Ｖsp1−Ｖcom｜≒｜Ｖsm1−Ｖcom｜，α1＞α2）をする。図３０は、ｎ行ｍ列目の画素に接続されるｍ列目の信号配線電位
Ｖsigmのタイミングチャートとそれに伴う該画素の画素電極電位の変動とｎ行目の走査配線電位Ｖgnのタイミングチャートを示す。図示される最初のフレーム期間は、正極性フレーム期間で次のフレーム期間は負極性フレーム期間である。該画素に隣接する画素は、該画素とはそれぞれのフレーム期間において逆極性のフレーム期間にある。
【０１６７】
フレーム切り替え時Ｐ１に、画素電極電位がΔＶlp1 変動し、液晶電圧はＶpbになる。前記期間Ｔeaにおいて、全走査配線を非選択状態にし、該信号配線が正極性信号配線の場合には、該信号配線を対向電極電位以下の電位とし、該信号配線が負極性信号配線の場合には、該信号配線を対向電極電位以上の電位とすることで、該期間Ｔeaにおいては、液晶電圧がＶpbより大きい値になり、フレーム切り替わりの前後で液晶に印加される電圧の実効値が異なることを軽減する。また、本駆動方式の場合、該期間Ｔeaを、走査期間当り１回から４回程度設けるだけで、十分にフリッカを抑制できるので、信号配線電位の変動による充放電電力は、該期間Ｔeaがない場合に比べて、数十μＷ程度大きくなるだけですむ。そのため低消費電力でフリッカを抑制できる。
【０１６８】
また、該期間Ｔeaにおいて、正極性信号配線に印加する電位と対向電極電位の差の絶対値と負極性信号配線に印加する電位と対向電極電位の差の絶対値が大きく異なる場合には、式（１７）より、正極性信号配線と負極性信号配線は列毎に交互に配置されているので、ある画素に対しては、フレーム切り替え時の影響を補償する効果が有効に働くが、該画素の隣接画素に対して該効果が有効に働かない場合がある。よって、該期間Ｔeaにおける正極性信号配線に印加する電位と対向電極電位の差の絶対値と負極性信号配線に印加する電位と対向電極電位の差の絶対値が概ね等しいことが望ましい。また、信号配線中心電位Ｖcenと対向電極電位Ｖcom 間の任意の電位をＶarbとし、該期間Ｔeaにおける正極性信号配線に印加する電位と電位Ｖarbの差の絶対値と負極性信号配線に印加する電位と電位
Ｖarbの差の絶対値を概ね等しくしても良い。
【０１６９】
また、該期間Ｔeaに、信号配線が正極性信号配線の場合は該信号配線電位を負極性信号配線の保持期間の電位とし、信号配線が負極性信号配線の場合は該信号配線電位を正極性信号配線の保持期間の電位とすることで該期間において液晶電圧がＶpbより大きくなるので、フレーム切り替わりの前後で液晶に印加されている電圧の実効値が異なることを軽減し、且つ、最終走査配線近傍の画素の走査期間におけるＴＦＴ及び液晶のリーク電流による画素電極電位変動を抑制することができる。また、保持期間の電位を使用することで、該期間Ｔeaに、信号配線に印加するための電位を生成する回路を液晶表示装置に作らないで済み、回路規模の増大を防いでいる。
【０１７０】
また、全走査配線を非選択状態にしている期間Ｔeaに、正極性信号配線と負極性信号配線を短絡することで、該期間において液晶電圧がＶpbより大きくなるので、フレーム切り替わりの前後で液晶に印加される電圧の実効値が異なることを軽減し、且つ、低消費電力で駆動できる。
【０１７１】
また、全走査配線を非選択状態にしている期間Ｔeaに、正極性信号配線と負極性信号配線と対向電極と容量配線とを短絡することでも、該期間において液晶電圧がＶpbより大きくなるので、フレーム切り替わりの前後で液晶に印加される電圧の実効値が異なることを軽減し、且つ、低消費電力で駆動できる。また、正極性信号配線と負極性信号配線と対向電極のみを短絡しても、正極性信号配線と負極性信号配線と容量配線のみを短絡する場合でも同様の効果は得られる。
【０１７２】
なお、以上の説明では、反射型の液晶表示装置を用いた実施例を説明したが、透過型あるいは半透過反射型の液晶表示装置にも本発明は同様に適用できることは言うまでもない。
【図面の簡単な説明】
【０１７３】
【図１】本発明にかかる液晶表示装置のシステム構成を説明するブロック図である。
【図２】液晶パネルの下基板に形成される一画素付近の構造を説明する平面図である。
【図３】図２のＡ−Ａ′線に沿った画素の断面図である。
【図４】本実施例における液晶表示装置を構成する液晶パネルの配線例を示す模式図である。
【図５】本発明の実施例における走査期間に各信号配線に画像データを転送する方法の説明図である。
【図６】本発明の実施例における液晶表示装置を構成する液晶パネルに配設されるｎ行ｍ列番目の画素の等価回路の説明図である。
【図７】本発明の実施例における液晶表示装置を構成する液晶パネルに配設される画素の非選択期間における等価回路の説明図である。
【図８】フリッカ強度の定義を説明するための反射率の時間変動の説明図である。
【図９】検知限に対応するフリッカ強度の周波数依存性を示す図である。
【図１０】本発明の実施例における液晶表示装置の具体的な駆動方法を説明するタイミング図である。
【図１１】非選択期間におけるｎ行ｍ列番目の画素の等価回路の説明図である。
【図１２】非選択期間において、ｎ行ｍ列番目の画素に接続される信号配線電位が変動していない場合の該画素の等価回路の説明図である。
【図１３】非選択期間において、ｎ行ｍ列番目の画素に接続される信号配線電位が変動している場合の該画素の等価回路の説明図である。
【図１４】測定された液晶パネルの正極性フレーム期間における反射率の液晶電圧依存性をグラフで示す説明図である。
【図１５】本発明の実施例における液晶表示装置の具体的な駆動方法を説明するタイミング図である。
【図１６】本発明の実施例にかかる液晶表示装置における走査配線の制御方法の説明図である。
【図１７】本発明の実施例にかかる液晶表示装置の駆動の制御方法の説明図である。
【図１８】本発明の実施例にかかる液晶表示装置の保持期間における駆動の制御方法の説明図である。
【図１９】本発明の実施例にかかる液晶表示装置の保持期間における駆動の制御方法の説明図である。
【図２０】本発明の実施例における液晶表示装置の他の具体的な駆動方法を説明するタイミング図である。
【図２１】本発明に係る液晶表示装置の駆動の制御方法の説明図である。
【図２２】本発明の実施例にかかる液晶表示装置における走査配線の制御方法の説明図である。
【図２３】本発明の実施例にかかる液晶表示装置における走査配線の制御方法の説明図である。
【図２４】本発明の実施例にかかる液晶表示装置の駆動の制御方法の説明図である。
【図２５】本発明の実施例にかかる液晶表示装置の駆動方法を説明するタイミング図である。
【図２６】本発明の実施例にかかる液晶表示装置の駆動方法を説明するタイミング図である。
【図２７】本発明の実施例にかかる液晶表示装置における画素の等価回路図である。
【図２８】本発明の実施例にかかる液晶表示装置の駆動方法を説明するタイミング図である。
【図２９】本発明の実施例にかかる液晶表示装置の駆動方法を説明するタイミング図である。
【図３０】本発明の実施例にかかる液晶表示装置の駆動方法を説明するタイミング図である。
【図３１】本発明の実施例にかかる液晶表示装置の駆動方法を説明するタイミング図である。
【図３２】本発明の実施例にかかる液晶表示装置の保持期間におけるフリッカの大きさの評価方法を説明する図である。
【図３３】本発明の実施例にかかる液晶表示装置の保持期間におけるフリッカの信号配線電位依存を示す図である。
【符号の説明】
【０１７４】
１０１…薄膜トランジスタ（ＴＦＴ）、１０２…液晶抵抗（Ｒl ）、１０３…液晶容量（Ｃl）、１０４…保持容量（Ｃstg）、１０５…対向電極、１０６…容量配線、１０７…薄膜トランジスタのオフ抵抗（Ｒoff ）、１０８…走査配線、１０９…信号配線、１１０、１１０Ａ、１１０Ｂ…信号配線と画素電極間の寄生容量、１１１…画素電極(反射電極)、１１２…スルーホール、１１３…下側容量パッド、１１４…上側容量パッド、１１５…α−Ｓｉ半導体膜、１１６…液晶層、１１７…透明電極、１１８…カラーフィルタ、119…ガラス基板、１２０…位相差板、１２１…偏光板、１２２…層間絶縁膜、１２３…ゲート絶縁膜、１２４…液晶パネル、１２５…ソースドライバ、１２６…ゲートドライバ、
１２７…画像メモリ、１２８…液晶表示装置、１２９…コントロールＩＣ、１３０…ゲート電極、１３１…ソース電極、１３２…ドレイン電極、１３３…薄膜トランジスタリーク電流、１３４…液晶リーク電流、１３５…１行１列番目の画素、１３６…Ｎ行１列番目の画素、１３７…１行Ｍ列番目の画素、１３８…Ｎ行Ｍ列番目の画素、１３９…保持期間電位制御回路、１４０…配線Ａ、１４１…配線Ｂ、１４２…選択スイッチ、１４３…シフトレジスタ、１４４…出力アンプ、１４５…論理積回路、１４６…画像データ転送制御手段、１４７…演算回路、１４８…メモリ、２０１…走査配線と画素電極間の寄生容量Ｃgs。
【図１】
2004206075.tif 000022
【図２】
2004206075.tif 000023
【図３】
2004206075.tif 000024
【図４】
2004206075.tif 000025
【図５】
2004206075.tif 000026
【図６】
2004206075.tif 000027
【図７】
2004206075.tif 000028
【図８】
2004206075.tif 000029
【図９】
2004206075.tif 000030
【図１０】
2004206075.tif 000031
【図１１】
2004206075.tif 000032
【図１２】
2004206075.tif 000033
【図１３】
2004206075.tif 000034
【図１４】
2004206075.tif 000035
【図１５】
2004206075.tif 000036
【図１６】
2004206075.tif 000037
【図１７】
2004206075.tif 000038
【図１８】
2004206075.tif 000039
【図１９】
2004206075.tif 000040
【図２０】
2004206075.tif 000041
【図２１】
2004206075.tif 000042
【図２２】
2004206075.tif 000043
【図２３】
2004206075.tif 000044
【図２４】
2004206075.tif 000045
【図２５】
2004206075.tif 000046
【図２６】
2004206075.tif 000047
【図２７】
2004206075.tif 000048
【図２８】
2004206075.tif 000049
【図２９】
2004206075.tif 000050
【図３０】
2004206075.tif 000051
【図３１】
2004206075.tif 000052
【図３２】
2004206075.tif 000053
【図３３】
2004206075.tif 000054